(57)【要約】本発明は水溶性小袋中の組成物に関するが、該小袋は少なくとも２つの区分を含み、それぞれの区分は該組成物の異なる成分を含有し、その際第一区分は第一成分を含有し、該第一成分は液体マトリックス及び過酸化物供給源を含む。【特許請求の範囲】
【請求項１】
水溶性小袋が少なくとも２つの区画を含んでなり、かつ、それぞれの区画が組成物の異なる成分を含有する、水溶性小袋中の組成物であって、第一区画は第一成分を含有し、該第一成分は液体マトリックス及び過酸化物供給源を含むことを特徴とする、組成物。
【請求項２】
前記過酸化物供給源が懸濁粒子の形態である、請求項１に記載の組成物。
【請求項３】
前記過酸化物供給源が、
（ｉ）過酸化物前駆体、好ましくはテトラアセチルエチレンジアミン、ノナノイルオキシベンゼンスルホネート、ノナノイルアミドカプロンオキシベンゼンスルホネート、もしくはこれらの組み合わせ、及び／又は
（ｉｉ）予備形成過酸化物、好ましくはＮ，Ｎ−フタロイルアミノペルオキシカプロン酸、
である、請求項１又は２に記載の組成物。
【請求項４】
前記小袋がポリビニルアルコールを含んでなる水溶性物質から製造される、請求項１〜３のいずれか１項に記載の組成物。
【請求項５】
第二区分が第二成分を含有し、該第二成分が過酸化物不適合構成成分、好ましくは酵素、香料、キレート剤及びこれらの組み合わせからなる群から選択される該過酸化物不適合構成成分を含んでなる、請求項１〜４のいずれか１項に記載の組成物。
【請求項６】
第二区分が第二成分を含有し、該第二成分が、過酸化物源、漂白増進剤、漂白触媒、又はこれらの組み合わせからなる群から選択される漂白構成成分を含んでなる、請求項１〜５のいずれか１項に記載の組成物。
【請求項７】
第二区分が第二成分を含有し、該第二成分が液体マトリックスを含んでなる、請求項１〜６のいずれか１項に記載の組成物。
【請求項８】
前記第一成分が粘調性の液体マトリックス（好ましくは少なくとも３００ｍＰａｓの粘度を有する）を含んでなり、かつ、任意に前記第二成分が３００ｍＰａｓ未満（好ましくは２５ｍＰａｓ未満）の粘度を有する液体マトリックスを含んでなる、請求項７に記載の組成物。
【請求項９】
前記第一成分が非水性液体マトリックスを含んでなり、かつ、前記第二成分が水性液体マトリックスを含んでなる、請求項７又は８のいずれか１項に記載の組成物。
【請求項１０】
前記第一成分が増粘剤を含んでなる、請求項１〜９のいずれか１項に記載の組成物。
【請求項１１】
前記第一成分が発泡系を含んでなる、請求項１〜１０のいずれか１項に記載の組成物。
【請求項１２】
洗濯工程における、請求項１〜１１のいずれか１項に記載の組成物の使用。
【発明の詳細な説明】
【０００１】
（技術分野）
本発明は、洗剤組成物分野、とりわけ織物洗浄工程において使用する洗剤組成物に関する。
【０００２】
（発明の背景）
多くの消費者は洗浄工程の間、洗剤製品に一般的に使用され、見受けられる洗剤成分と接触したくないと考えている。洗剤産業において洗剤構成成分と消費者間の接触を防いだり、あるいは最低限にしようと試みられてきた。例えば、洗剤産業において、洗浄工程の間に消費者が扱う際に、ちりの形態の洗剤成分が発生するのを最低限にする洗剤タブレットが開発された。しかし、これらの洗剤タブレットは、洗浄工程の間に消費者が扱う際、まだちりを生成する。このように、洗剤構成成分と消費者間の接触を避ける、あるいはさらに最低限にするように使用できる洗剤製品を提供する必要性が存在する。
フィルムに洗剤構成成分を封入し、洗剤小袋を形成することによってこの問題を解決しようとする試みが行われてきた。これらの小袋洗剤はそれらの水溶性特性及びクリーニング性能を改善するために洗濯産業界によってさらに開発されてきた。
【０００３】
加えて、消費者はユニットドーズ洗剤製品、例えば、洗剤タブレット及び洗剤小袋を有する利益を好む。多くの消費者は洗浄工程の間、容易に且つ素早く使用できるユニットドーズ洗剤製品を求めている。例えば、ユニットドーズ洗剤製品の使用によって、洗浄工程の間に使用すべき洗剤の量は消費者のためにすでに予め選択されており、困難且つ時間の掛かる手順である望ましい量の洗剤製品の決定及び計量は行なわなくてよい。
小袋の形態のユニットドーズ洗剤製品は既知である。例えば、ＥＰ０１５８４６４、ＵＳ４８４６９９２、ＵＳ４８８６６１５、ＵＳ４９２９３８０及びＵＳ６０３７３１９は洗剤小袋に関する。複数区分の小袋も既知である。例えば、ＥＰ０２３６１３６は複数区分の小袋に関する。ＵＳ４９７３４１０は、製品安定性及び洗剤性能を改善する有機中和系として作用するアルカノールアミンを含む水性液体洗濯洗剤を含有する小袋に関する。
水分含量の多い固体構成成分から、漂白剤を分離するための複数区分の小袋の使用についても既知である。例えば、ＥＰ０４１４４６３は、一つの区分に微粒子過炭酸ナトリウム及び任意にその他の微粒子物質を含有し、並びに異なる区分に高い遊離水分含量を含有する粉末成分、例えば、アルミノケイ酸塩を含有する複数区分の小袋に関する。
【０００４】
しかし、顆粒状の漂白剤組成物を含有する小袋、あるいは複数区分のある小袋の区分は洗浄液に漂白剤成分をムラに分配する傾向を有する。例えば、漂白剤成分は結果として高レベルの漂白活性を有する洗浄液の範囲を作ってしまうような方法で分配されるかもしれず、織物に起こるまだらになる損傷の危険性を増加させる。これは、とりわけ、自動洗濯機のドラムに複数区分のある小袋を直接入れたとき当てはまる。
発明者らは、水溶性小袋中に組成物を提供することによって、漂白剤構成成分を含む組成物の複数区分のある小袋からの分配に関連した前記の問題を克服し、前記小袋は少なくとも２つの区分を備え、それぞれの区分は前記組成物の異なる成分を含有し、その際第一区分は液体マトリックス及び過酸化物供給源を含む第一成分を含有する。
発明者らは過酸化物供給源が問題であること、並びに過酸化物供給源が液体に溶解及び／又は懸濁された粒子の形態であるなら、過酸化物供給源はより均一に複数区分のある小袋の区分から分配されること、並びに前記区分に残らないか、漂白活性の増加した範囲を生じさせないことを見出した。
本発明の複数区分小袋は前記利益、例えば、保存の間小袋の異なる区分に含有される過酸化物供給源及び過酸化物不適合構成成分の安定性を増加させ、複数区分小袋に含有される組成物の性能を維持するという利益も有する。
【０００５】
（発明の概要）
本発明の第一実施例は、水溶性小袋中の組成物を提供し、該小袋は少なくとも２つの区分を備え、それぞれの区分は該組成物の異なる成分を含有し、その際第一区分は第一成分を含み、該第一成分は液体マトリックス及び過酸化物供給源を含有する。
本発明の第二実施例は、水溶性小袋中の組成物の使用を提供し、該小袋は少なくとも２つの区分を備え、洗濯工程において、それぞれの区分は該組成物の異なる成分を含有し、その際第一区分は第一成分を含み、該第一成分は液体マトリックス及び過酸化物供給源を含有する。
【０００６】
（発明の詳細な説明）
小袋及びこれらの物質
本発明の水溶性小袋は、本明細書において「小袋」と呼び、少なくとも２つの区分を備える。それぞれの区分は組成物の異なった成分を含有する。前記組成物及びそれらの成分は本明細書において以下により詳細に記載する。
本明細書の小袋は、典型的には閉鎖された構造で、以下に記載する物質から製造され、少なくとも２つ、好ましくは２つの区分に分割される空間を包含する。小袋は組成物を保持するのに好適な、例えば、小袋が水と接触する以前に小袋から組成物が放出されることのないいずれの形態、形及び物質であることができる。正確な実行は、例えば、小袋の組成物の種類及び量、小袋の区分の数、組成物及び／又はそれらの成分を保持、保護、及び運搬、もしくは放出するのに必要とされる特性に依存する。
【０００７】
小袋は、必要とされる操作、例えば、１度の洗浄に好適な本明細書の組成物のユニットドーズ量、あるいは部分剤形のみのいずれかを簡便に含有するような大きさであってよく、例えば、洗浄するものの大きさ及び／又は汚れの程度に依存して、使用する量を変えられる柔軟性を消費者に与える。
小袋は典型的には水溶性物質、好ましくは内部体積空間を包含する水溶性物質から製造され、前記内部体積空間は小袋の区分に分割される。小袋の前記内部体積空間は好ましくは内部体積空間が外部環境から分離されるような方法で水溶性物質によって包含される。
組成物、あるいはそれらの成分は小袋の空間に含有され、典型的には水溶性物質の防壁によって外部環境から分離される。典型的には、小袋の異なった区分に含有される組成物の異なった成分は水溶性物質の防壁によってそれぞれ分離される。
【０００８】
用語「分離された」は本発明の目的において、「物理的に明確に、もし前記第二構成成分が前記第一構成成分を含む区分と同じ区分に含まれないとすれば、区分に含まれる第一構成成分が第二構成成分と接触するのを防ぐこと」を意味する。
用語「外部環境」は本発明の目的において、「小袋あるいはそれらの区分に含有されない、及び小袋あるいはそれらの区分の一部分でない任意のもの」を意味する。
区分は、例えば、小袋が水と接触する以前に区分から成分が放出されることなく組成物の成分を保持するのに好適である。区分は区分の物質の特性、成分あるいは組成物の特性、並びに使用の目的及び成分あるいは組成物の量に依存していずれの形態あるいは形を有することができる。
【０００９】
小袋の区分はそれぞれ異なった色であってよく、例えば、第一区分は緑色あるいは青色であってよく、第二区分は白色あるいは黄色であってよい。小袋の１つの区分は不透明あるいはほとんど不透明、及び小袋の第二区分は半透明、透明あるいはやや透明であってよい。小袋の区分は同じ内部体積を有する同じ大きさ、あるいは異なる内部体積を有する異なった大きさであってよい。
好ましくは、液体である成分を含有する区分は空泡も含有し、、好ましくは、空泡は前記区分の体積空間の５０％以下、より好ましくは４０％以下、より好ましくは３０％以下、より好ましくは２０％以下、より好ましくは１０％以下、より好ましくは５％以下の体積を有する。理論に限定されるものではないが、空泡の存在により区分内の液体成分の移動に対する区分の許容量が増加し、区分からもれる液体成分の危険性が低減する。
【００１０】
小袋は好ましくは水溶性物質から生成され、本明細書において「小袋物質」と呼ぶ。小袋自体、及び典型的に小袋物質は、典型的には水分散性であり、最大孔径が５０ミクロンであるガラスフィルターを使用した本明細書で以下に示した重量測定法によって測定した少なくとも５０％、好ましくは少なくとも７０％あるいはさらに少なくとも９５％の水分散度を有する。
小袋自体、及び好ましくは小袋物質は、水溶性であり、すなわち最大孔径が２０ミクロンであるガラスフィルターを使用した本明細書で以下に示した測定法によって測定した少なくとも５０％、好ましくは少なくとも７５％、あるいはさらに少なくとも９５％の水溶解度を有する。
小袋の物質の水分散度及び水溶解度を決定する重量法：
物質５０グラム±０．１グラムを４００ｍｌビーカーに加え、その重量を測定し、蒸留水２４５ｍｌ±１ｍｌを加える。これを６００ｒｐｍにセットした磁性攪拌器で３０分間激しく攪拌する。その後、混合物を前記で定義した孔径（最大２０あるいは５０ミクロン）の固定定量ガラスフィルターで濾過する。回収した濾液からいずれかの簡便な方法によって水を乾燥し、残った物質の質量を測定する（それが溶解あるいは分散画分である）。その後、％溶解度あるいは分散度が計算できる。
【００１１】
好ましい小袋物質はポリマー物質、好ましくはフィルムあるいはシートに形成されるポリマーである。小袋物質は、当業界において既知の、例えば、ポリマー物質の鋳造、吹き込み成型、押し出しあるいは吹き込み押し出しによって得られる。
小袋物質としての使用に好適な好ましいポリマー、コポリマーあるいはそれらの誘導体はポリビニルアルコール類、ポリビニルピロリドン、ポリアルキレンオキシド類、アクリルアミド、アクリル酸、セルロース、セルロースエーテル類、セルロースエステル類、セルロースアミド類、ポリビニルアセテート類、ポリカルボン酸類及び塩、ポリアミノ酸類あるいはペプチド類、ポリアミド類、ポリアクリルアミド、マレイン酸／アクリル酸のコポリマー類、デンプン及びゼラチンを包含する多糖類及びキサンタン及びカラゴムなどの天然ゴム類から選択される。より好ましいポリマー類はポリアクリレート及び水溶性アクリレートコポリマー類、メチルセルロース、カルボキシメチルセルロースナトリウム、デキストリン、エチルセルロース、ヒドロキシエチルセルロース、ヒドロキシプロピルメチルセルロース、マルトデキストリン、ポリメタくリレート類から選択され、及び最も好ましくはポリビニルアルコール類、ポリビニルアルコールコポリマー類及びヒドロキシメチルセルロース（ＨＰＭＣ）及びそれらの組み合わせから選択される。好ましくは、小袋物質におけるポリマーの濃度は、例えば、ＰＶＡポリマーについては少なくとも６０％である。
【００１２】
ポリマーはいずれの質量平均分子量、好ましくは約１０００〜１，０００，０００、あるいはさらに１０，０００〜３００，０００、あるいはさらに１５，０００から２００，０００、あるいはさらに２０，０００〜１５０，０００を有するものであることができる。
ポリマー混合物を小袋物質として使用することもできる。これが、それらの適用及び要求されるニーズに依存して、とりわけ区分あるいは小袋の機械的及び／又は溶解特性の制御において有益であってもよい。例えば、ポリマーの混合物が小袋物質に存在することが好ましく、それによって１つのポリマーがその他のポリマーよりより高い水溶解度を有し、及び／又は１つのポリマーがその他のポリマーより高い機械的強度を有する。異なった質量平均分子量を有する、例えば、ＰＶＡあるいは１０，０００〜４０，０００、好ましくはおよそ２０，０００の質量平均分子量のそれらのコポリマーの混合物、及びＰＶＡあるいは約１００，０００〜３００，０００、好ましくはおよそ１５０，０００の質量平均分子量のそれらのコポリマー混合物を使用するのが好ましい。
【００１３】
また、有用なのは、例えば、もし物質が水溶性であるなら、典型的には１〜３５質量％のポリラクチド及びおよそ６５〜９９質量％のポリビニルアルコールを含むポリラクチド及びポリビニルアルコールの混合によって達成されるポリラクチド及びポリビニルアルコールなどの加水分解的に分解され、水溶性ポリマー混合物を含むポリマー混合組成物である。
小袋物質に存在するポリマーは、物質の溶解度を改善するために６０％〜９８％、好ましくは８０％〜９０％加水分解されていることが好ましい。
最も好ましい小袋物質は、ＰＶＡポリマーを含むフィルムと同様の特性を有するＰＶＡポリマーを含むフィルム、及びクリス−クラフト・インダストリアル・プロダクツ・オブ・ガリー（Ｃｈｒｉｓ−Ｃｒａｆｔ Ｉｎｄｕｓｔｒｉａｌ Ｐｒｏｄｕｃｔｓ ｏｆ Ｇａｒｙ）（米国、インディアナ州）より販売されている登録商標Ｍ８６３０として既知のフィルムである。本明細書の使用に好適な好ましい他のフィルムは、アイセロ（Ａｉｃｅｌｌｏ）から供給される登録商標ＰＴフィルムもしくはＫ−シリーズフィルム、あるいはクラレ（Ｋｕｒａｒａｙ）によって供給されるＶＦ−ＨＰフィルムとして既知であるフィルムと同様の特性を有する。
【００１４】
本明細書の小袋物質はポリマー以外の他の添加物構成成分を含んでもよい。例えば、可塑剤、例えば、グリセロール、エチレングリコール、ジエチレングリコール、プロピレングリコール、ソルビトール及びそれらの混合物、付加的な水、分解補助剤を添加することが有益であってもよい。小袋組成物が洗剤組成物であるとき、小袋物質自体が洗浄水に分配されるべき洗剤添加物、例えば、有機ポリマー汚れ放出剤、分散剤、染料付着阻害物質を含むことが有用であってもよい。
小袋は当業界で既知の方法によって調製することができる。さらに具体的に言うと、小袋は典型的には初めに小袋物質を適切な大きさの小片に切ることによって調製し、好ましくは小袋物質はフィルム形態である。小袋物質は、その後典型的には必要な数及び大きさの区分を形成するために折られ、端をいずれかの好適な技術、例えば、加熱密封、湿式密封、あるいは圧力密封によって密封される。好ましい実施例においては、密封供給源は小袋物質と接触させ、熱あるいは圧力を小袋物質に適用し、小袋物質を密封する。
【００１５】
小袋物質を典型的には型の周りに合わせ、真空状態にして型の内部表面に接触させ、これによって前記小袋物質にくぼみやへこみが形成される。好ましくは、小袋物質は型に導入され、型に真空が適用され、そのために小袋物質は型の形になるが、これは真空形成とも呼ばれる。
その他の好ましい方法は型の形になる小袋物質を得るための熱形成である。熱形成は典型的には熱の適用によって型に開放小袋を形成する段階を包含し、その際小袋物質は型の形になる。
典型的に、一片より多くの小袋物質が小袋を製造するのに使用される。例えば、小袋物質の第一片は前記小袋物質を型の内部壁面に接触させるために真空状態にしてもよい。小袋物質の第二片は小袋物質の第一片と少なくとも部分的に、好ましくは完全に重なるように位置させてもよい。小袋物質の第一片及び小袋物質の第二片は一緒に密封する。小袋物質の第一片及び小袋物質の第二片は同じ種類の物質であることもできるし、あるいは異なる種類の物質であることできる。
【００１６】
小袋を製造する好ましい工程において、小袋物質の１片は少なくとも２度折り重ね、あるいは少なくとも三片の小袋物質を使用し、あるいは少なくとも二片の小袋物質を使用し、その際小袋物質の少なくとも一片は少なくとも１度折り重ねる。小袋を密封した時、小袋物質の第三片、あるいは小袋物質の折り重ねられた片が、前記小袋内部体積を少なくとも２つ以上の区分に分割する防壁層を生成する。
小袋は小袋物質の第一片を型に合わせることによって調製することもでき、例えば、フィルムの第一片は、フィルムを型の内部壁面に接触させるために型で真空状態にしてもよい。組成物、あるいはそれらの成分は典型的には型へ注ぐ。小袋物質から製造された予備密封区分は、その後典型的には組成物、あるいはそれらの成分を含有する型の上に置く。予備密封区分は好ましくは組成物、あるいはそれらの成分を含有する。予備密封区分及び小袋物質の前記第一片は小袋を形成するために一緒に密封してもよい。
【００１７】
過酸化物供給源
本明細書における過酸化物供給源は、小袋からの組成物の分配において洗浄液へ過酸化物を放出できるいずれかの供給源である。過酸化物供給源は過酸化物であってもよく、あるいは保存期間の小袋の区分の中、あるいは小袋から組成物の溶解時の洗浄液の中のいずれかで、その場で過酸化物を形成できるものであってよい。過酸化物が過酸化物供給源によって形成あるいは放出される前に、過酸化物供給源が第二分子、例えば、過酸化物供給源あるいは水との接触、相互作用による活性化を必要としてもよい。例えば、過酸化物供給源はＴＡＥＤのような過酸化物前駆体であってもよく、あるいはＲＡＰのような予備形成過酸化物であってもよい。過酸化物前駆体及び予備形成過酸化物について本明細書において以下に詳細に記載する。
【００１８】
過酸化物供給源は組成物の第一成分の液体マトリックスに溶解及び／又は分散される。組成物の第一成分は本明細書において以下により詳細に記載する。好ましくは、過酸化物供給源は懸濁粒子の形態である。
過酸化物供給源は好ましくは過酸化物不適合構成成分とは異なる区分に含有される。これらの過酸化物不適合構成成分は本明細書において以下により詳細に記載する。
過酸化物供給源が他の任意の漂白構成成分及び漂白補助構成成分と異なる区分に含有されることが好ましい。任意の漂白構成成分及び漂白補助構成成分について本明細書において以下により詳細に記載する。これによって、任意の漂白構成成分及び漂白補助構成成分がそれぞれ相互作用を及ぼし、組成物が洗浄液に分配される前に過酸化物供給源を活性化するのが妨げられる。
【００１９】
過酸化物前駆体
過酸化物供給源は好ましくは過酸化物前駆体を含む。好ましい過酸化物前駆体類はペルオキシ酸漂白剤前駆体、過安息香酸前駆体及びそれらの誘導体、陽イオンペルオキシ酸前駆体、アルキル過カルボン酸漂白剤前駆体、アミド置換型アルキルペルオキシ酸前駆体及びそれらの組み合わせである。
組成物及び／又はそれらの第一成分は少なくとも２つのペルオキシ酸漂白剤前駆体、好ましくは少なくとも１つの疎水性ペルオキシ酸漂白剤前駆体及び少なくとも１つの親水性ペルオキシ酸漂白剤前駆体を含むことが好ましい。
組成物の第二成分は、組成物の第一成分に含まれる過酸化物前駆体に加えて過酸化物前駆体を含むことがさらに好ましい。第二成分の過酸化物前駆体は、第一成分の過酸化物前駆体と異なる種類の過酸化物前駆体、あるいは第一成分の過酸化物前駆体と同じ種類の過酸化物前駆体であってもよい。好ましくは、存在するなら、第二成分の過酸化物前駆体は第一成分の過酸化物前駆体と異なる種類のものである。例えば、第一成分の過酸化物前駆体は親水性過酸化物前駆体であってよく、第二成分の過酸化物前駆体は疎水性過酸化物前駆体であってよく、あるいは逆もまた同様である。これによって、組成物の処方においてより高い柔軟性が得られ、組成物及び含まれる過酸化物前駆体の不安定性が低減されてもよい。
【００２０】
ペルオキシ酸漂白剤前駆体は、好ましくはオキシ−ベンゼンスルホネート基を有する化合物、好ましくはノナノイルオキシベンゼンスルホネート（ＮＯＢＳ）、３，５，５−トリメチルヘキサノイルオキシベンゼンスルホネートナトリウム（イソ−ＮＯＢＳ）、ベンゾイルオキシベンゼンスルホネート（ＢＯＢＳ）、デカノイルオキシベンゼンスルホネート（ＤＯＢＳ）、ドデカノイルオキシベンゼンスルホネート（ＤＤＯＢＳ）及び／又はノナノイルアミドカプロンオキシベンゼンスルホネート（ＮＡＣ−ＯＢＳ）を含む。その他の好ましいペルオキシ酸漂白剤前駆体は、テトラアセチルエチレンジアミン（ＴＥＡＤ）を含む。
【００２１】
ペルオキシ酸漂白剤前駆体
ペルオキシ酸漂白剤前駆体は、ペルオキシ酸を生成するための過加水分解反応において過酸化水素と反応する。一般的にペルオキシ酸漂白剤前駆体は、以下の一般式によって示してもよい。
【００２２】
【化１】
2005507432.tif 000002
【００２３】
式中、Ｌは解離基、及びＸは本質的にいずれかの官能基で、過加水分解において生成されるペルオキシ酸の構造は以下の一般式を有する。
【００２４】
【化２】
2005507432.tif 000003
【００２５】
ペルオキシ酸漂白剤前駆体は好ましくは組成物の０．１質量％〜２０質量％、より好ましくは１質量％〜１０質量％、最も好ましくは１．５質量％〜５質量％の濃度で混合される。
好適なペルオキシ酸漂白剤前駆体は、典型的には１つ以上のＮ−あるいはＯ−アシル基を含有する。これらの前駆体は広範囲の部類から選択できる。好適な部類としては、無水物、エステル類、イミド類、ラクタム類、及びイミダゾール類やオキシム類のアシル化誘導体が挙げられる。これらの部類の有用な物質の例はＧＢ−Ａ−１５８６７８９に開示されている。好適なエステル類はＧＢ−Ａ−８３６９８８、８６４７９８、１１４７８７１、２１４３２３１及びＥＰ−Ａ−０１７０３８６に開示されている。
【００２６】
解離基
解離基は、本明細書において以降「Ｌ基」と定義し、最適な時間枠内で、例えば、洗浄サイクルでの過加水分解反応おいて十分な反応性を有するものでなければならない。しかしながら、Ｌ基が過度に反応性であれば、この過酸化物供給源は組成物中での使用において安定化させるのが困難になる。
好ましいＬ基は以下のもの及びこれらの混合物からなる群から選択され、
【００２７】
【化３】
2005507432.tif 000004
【００２８】
式中、Ｒ１は１〜１４個の炭素原子を含有するアルキル、アリール、あるいはアルカリール基であり、Ｒ３は１〜８個の炭素原子を含有するアルキル鎖であり、Ｒ４はＨあるいはＲ３であり、Ｒ５は１〜８個の炭素原子を含有するアルケニル鎖であり、ＹはＨあるいは可溶化置換基である。Ｒ１、Ｒ３及びＲ４ノいずれかは、例えば、アルキル、ヒドロキシ、アルコキシ、ハロゲン、アミン、ニトロシル、アミド、及びアンモニウム、あるいはアルキルアンモニウム基を包含するいずれかの官能基で本質的に置換されてもよい。
好ましい可溶化官能基は−ＳＯ３−Ｍ＋、−ＣＯ２−Ｍ＋、−ＳＯ４−Ｍ＋、−Ｎ＋（Ｒ３）４Ｘ−及びＯ＜−−Ｎ（Ｒ＜−−Ｎ（Ｒ３）３であり、最も好ましくは−ＳＯ３−Ｍ＋及び−ＣＯ２−Ｍ＋であり、式中、Ｒ３は１〜４個の炭素原子を含有するアルキル鎖であり、Ｍは漂白活性化剤に溶解度を提供する陽イオンであり、Ｘは漂白活性化剤に溶解度を提供する陰イオンである。好ましくは、Ｍはアルカリ金属、アンモニウム、あるいは置換型アンモニウム陽イオンであり、ナトリウム及びカリウムが最も好ましく、Ｘはハロゲン化物、水酸化物、硫酸メチル、あるいはアセテート陰イオンである。
【００２９】
過安息香酸前駆体
過安息香酸前駆体化合物は過加水分解において過安息香酸を提供する。
好適なＯ−アシル化過安息香酸前駆体化合物としては、例えば、ベンゾイルオキシベンゼンスルホネートを包含する置換型及び非置換型ベンゾイルオキシベンゼンスルホネート類が挙げられる。
【００３０】
【化４】
2005507432.tif 000005
【００３１】
また、好適なのはソルビトール、グルコース、及びベンゾイル化剤とすべての糖とのベンゾイル化生成物であり、例として以下を包含する。
【００３２】
【化５】
2005507432.tif 000006
【００３３】
式中、Ａｃ＝ＣＯＣＨ３、及びＢｚ＝ベンゾイルである。
イミド型の過安息香酸前駆体化合物としては、Ｎ−ベンゾイルサクシンイミド、テトラベンゾイルエチレンジアミン、及びＮ−ベンゾイル置換型尿素が挙げられる。好適なイミダゾール型過安息香酸前駆体としては、Ｎ−ベンゾイルイミダゾール及びＮ−ベンゾイルベンズイミダゾールが挙げられ、他の有用な過安息香酸前駆体含有Ｎ−アシル基としては、Ｎ−ベンゾイルピロリドン、ジベンゾイルタウリン及びベンゾイルピログルタミン酸が挙げられる。
他の過安息香酸前駆体としては、ベンゾイルジアシル過酸化物類、ベンゾイルテトラアシル過酸化物類、及び以下の式を有する化合物が挙げられる。
【００３４】
【化６】
2005507432.tif 000007
【００３５】
フタル酸無水物は本明細書においてその他の好適な過安息香酸前駆体である。
【００３６】
【化７】
2005507432.tif 000008
【００３７】
好適なＮ−アシル化ラクタム過安息香酸前駆体は以下の式を有する。
【００３８】
【化８】
2005507432.tif 000009
【００３９】
式中、ｎは０〜８、好ましくは０〜２、及びＲ６はベンゾイル基である。
【００４０】
過安息香酸誘導体前駆体
過安息香酸誘導体前駆体は過加水分解において置換型過安息香酸を提供する。
好適な置換型過安息香酸誘導体前駆体としては、本明細書に開示した過安息香酸前駆体のいずれかが挙げられ、その際ベンゾイル基は、例えば、アルキル、ヒドロキシ、アルコキシ、ハロゲン、アミン、ニトロシル、及びアミド基を包含するいずれかの非正電苛（すなわち、非陽イオン性）官能基が挙げられる。
置換型過安息香酸前駆体化合物の好ましい部類は、以下の一般式のアミド置換型化合物である。
【００４１】
【化９】
2005507432.tif 000010
【００４２】
あるいは
【００４３】
【化１０】
2005507432.tif 000011
【００４４】
式中、Ｒ１は１〜１４個の炭素原子を有するアリールあるいはアルカリール基であり、Ｒ２は１〜１４個の炭素原子を有するアリーレンあるいはアルカリーレン基であり、及びＲ５はＨあるいは１〜１０個の炭素原子を含有するアルキル、アリール、あるいはアルカリール基であり、Ｌは本質的にいずれかの解離基であることができる。Ｒ１は好ましくは６〜１２個の炭素原子を含有する。Ｒ２は好ましくは４〜８個の炭素原子を含有する。Ｒ１はアリール、置換型アリールあるいは分枝、置換、あるいは両方を含有するアルキルアリールでよく、例えば、獣脂を包含する天然供給源あるいは合成供給源いずれかの供給源を基にするものでもよい。Ｒ２について類似した構造変化が許される。置換基としてはアルキル、アリール、ハロゲン、窒素、硫黄、及び他の典型的な置換基あるいは有機化合物が挙げられる。Ｒ５は好ましくはＨあるいはメチルである。Ｒ１及びＲ５は全部で１８個より多くの炭素原子を含有するべきではない。この種類のアミド置換型漂白活性化化合物がＥＰ−Ａ−０１７０３８６に記載されている。
【００４５】
陽イオン性ペルオキシ酸前駆体
陽イオン性ペルオキシ酸前駆体化合物は、過加水分解において陽イオン性ペルオキシ酸を生成する。
典型的には陽イオン性ペルオキシ酸前駆体は、アンモニウムあるいはアルキルアンモニウム基、好ましくはエチルあるいはメチルアンモニウム基などの正電苛官能基で、好適なペルオキシ酸前駆体化合物のペルオキシ酸部分を置換することによって形成される。陽イオン性ペルオキシ酸前駆体は典型的には、例えば、ハロゲンイオンあるいは硫酸メチルイオンなどの好適な陰イオンを伴う塩として組成物中に存在する。
【００４６】
陽イオン的に置換されるぺルオキシ酸前駆体化合物は、過安息香酸、あるいはそれらの置換型誘導体、本明細書において前記した前駆体化合物であってよい。あるいは、ペルオキシ酸前駆体化合物は、アルキル過カルボン酸前駆体化合物あるいは本明細書で以下に記載するようなアミド置換型アルキルペルオキシ酸前駆体であってよい。
陽イオン性ペルオキシ酸前駆体はＵＳ４，９０４，４０６；ＵＳ４，７５１，０１５；ＵＳ４，９８８，４５１；ＵＳ４，３９７，７５７；ＵＳ５，２６９，９６２；ＵＳ５，１２７，８５２；ＵＳ５，０９３，０２２；ＵＳ５，１０６，５２８；ＧＢ１，３８２，５９４；ＥＰ４７５，５１２；ＥＰ４５８，３９６；ＥＰ２８４，２９２；及びＪＰ８７−３１８，３３２に記載されている。
好適な陽イオン性ペルオキシ酸前駆体としては、アンモニウム、あるいはアルキルアンモニウム置換型アルキル、あるいはベンゾイルオキシベンゼンスルホネート類、Ｎ−アシル化カプロラクタム類、及びモノベンゾイルテトラアセチルグルコースベンゾイル過酸化物類のいずれかが挙げられる。
好ましい陽イオン置換型ベンゾイルオキシベンゼンスルホネートは、ベンゾイルオキシベンゼンスルホネートの４−（トリメチルアンモニウム）メチル誘導体である。
【００４７】
【化１１】
2005507432.tif 000012
【００４８】
好ましい陽イオン置換型アルキルオキシベンゼンスルホネートは、以下の式を有する。
【００４９】
【化１２】
2005507432.tif 000013
【００５０】
Ｎ−アシル化カプロラクタムの部類の好ましい陽イオン性ペルオキシ酸前駆体としては、トリアルキルアンモニウムメチレンベンゾイルカプロラクタム類、とりわけトリメチルアンモニウムメチレンベンゾイルカプロラクタムが挙げられる。
【００５１】
【化１３】
2005507432.tif 000014
【００５２】
Ｎ−アシル化カプロラクタム部類の他の好ましい陽イオン性ペルオキシ酸前駆体としては、トリアルキルアンモニウムメチレンアルキルカプロラクタム類が挙げられる。
【００５３】
【化１４】
2005507432.tif 000015
【００５４】
式中、ｎは０〜１２、とりわけ１〜５である。
その他の好ましい陽イオン性ペルオキシ酸前駆体は、２−（Ｎ，Ｎ，Ｎ−トリメチルアンモニウム）エチルナトリウム４−スルホフェニル炭酸塩化物である。
【００５５】
アルキル過カルボン酸漂白剤前駆体
アルキル過カルボン酸漂白剤前駆体は過加水分解において過カルボン酸を形成する。この種類の好ましい前駆体は過加水分解において過酢酸を提供する。
イミド類の好ましいアルキル過カルボン酸前駆体化合物としては、アルキレン基が１〜６個の炭素原子を含有するＮ−，Ｎ，Ｎ１Ｎ１四アセチル化アルキレンジアミン類、とりわけアルキレン基が１、２及び６個の炭素原子を含有するそれらの化合物が挙げられる。テトラアセチルエチレンジアミン（ＴＡＥＤ）はとりわけ好ましい。
他の好ましいアルキル過カルボン酸前駆体としては、３，５，５−トリメチルヘキサノイルオキシベンゼンスルホネートナトリウム（イソ−ＮＯＢＳ）、ノナノイルオキシベンゼンスルホネートナトリウム（ＮＯＢＳ）、アセトキシベンゼンスルホネートナトリウム（ＡＢＳ）及びペンタアセチルグルコースが挙げられる。
【００５６】
アミド置換型アルキルペルオキシ酸前駆体
以下の一般式のものを包含するアミド置換型アルキルペルオキシ酸前駆体化合物も好適である。
【００５７】
【化１５】
2005507432.tif 000016
【００５８】
あるいは
【００５９】
【化１６】
2005507432.tif 000017
【００６０】
式中、Ｒ１は１〜１４個の炭素原子のアルキル基、Ｒ２は１〜１４個の炭素原子を含有するアルキレン基、及びＲ５はＨあるいは１〜１０個の炭素原子を含有するアルキル基、及びＬは本質的にいずれかの解離基であることができる。Ｒ１は好ましくは６〜１２個の炭素原子を含有する。Ｒ２は好ましくは４〜８個の炭素原子を含有する。Ｒ１は直鎖あるいは分枝、置換、あるいは両方を含有する分枝状アルキルでよく、合成供給源あるいは獣脂を包含する天然供給源のいずれを基にするものでもよい。Ｒ２について類似した構造変化が許される。置換基としてはアルキル、ハロゲン、窒素、硫黄、及び他の典型的な置換基あるいは有機化合物を挙げることができる。Ｒ５は好ましくはＨあるいはメチルである。Ｒ１及びＲ５は全部で１８個より多くの炭素原子を含有するべきではない。この種類のアミド置換型漂白活性化化合物が欧州特許Ａ−０１７０３８６に開示されている。
【００６１】
ベンズオキサジン有機ペルオキシ酸前駆体
また、好適なのは、例えば、ＥＰ−Ａ−３３２，２９４及びＡ−４８２，８０７に記載されているようなベンズオキサジン類の前駆体化合物、とりわけ以下の式を有するものである。
【００６２】
【化１７】
2005507432.tif 000018
【００６３】
以下の種類の置換型ベンズオキサジンを包含する。
【００６４】
【化１８】
2005507432.tif 000019
【００６５】
式中、Ｒ１はＨ、アルキル、アルカリール、アリール、アリールアルキル、及び式中、Ｒ２、Ｒ３、Ｒ４、及びＲ５はＨ、ハロゲン、アルキル、アルケニル、アリール、ヒドロキシル、アルコキシル、アミノ、アルキルアミノ、ＣＯＯＲ６（式中、Ｒ６はＨあるいはアルキル基）及びカルボニル官能基から選択される同じあるいは異なる置換基であってよい。
ベンズオキサジン類のとりわけ好ましい前駆体は以下のものである。
【００６６】
【化１９】
2005507432.tif 000020
【００６７】
予備形成過酸化物
過酸化物供給源は好ましくは予備形成過酸化物を含み、予備形成過酸化物は典型的には漂白系として作用することのできる有機ペルオキシ酸化合物である。
有機ペルオキシ酸化合物の好ましい部類は、以下の一般式のアミド置換型化合物である。
【００６８】
【化２０】
2005507432.tif 000021
【００６９】
あるいは
【００７０】
【化２１】
2005507432.tif 000022
【００７１】
式中、Ｒ１は１〜１４個の炭素原子のアルキル、アリールあるいはアルカリール基、Ｒ２は１〜１４個の炭素原子を含有するアルキレン、アリーレン、及びアルカリーレン基、及びＲ５はＨあるいは１〜１０個の炭素原子を含有するアルキル、アリール、あるいはアルカリール基である。Ｒ１は好ましくは６〜１２個の炭素原子を含有する。Ｒ２は好ましくは４〜８個の炭素原子を含有する。Ｒ１は直鎖あるいは分枝、置換、あるいは両方を含有する分枝状アルキル、置換型アリールあるいはアルキルアリールでよく、合成供給源あるいは、例えば、獣脂を包含する天然供給源いずれを基にするものでもよい。類似する構造の変化がＲ２について許される。置換基としてはアルキル、アリール、ハロゲン、窒素、硫黄、及びその他の典型的な置換基あるいは有機化合物が挙げられる。Ｒ５は好ましくはＨあるいはメチルである。Ｒ１及びＲ５は全部で１８個より多くの炭素原子を含有するべきではない。この種類のアミド置換型有機ペルオキシ酸化合物がＥＰ−Ａ−０１７０３８６に記載されている。
【００７２】
好ましい予備形成過酸化物は、過酸化物が１つの過酸素基を含有することを意味する予備形成モノ過酸化物である。好ましい予備形成モノ過酸化物はモノペルオキシカルボン酸である。
本発明の好ましい実施例において予備形成過酸化物は以下の一般式を有する。
Ｘ−Ｒ−Ｃ（Ｏ）ＯＯＨ
式中、Ｒは少なくとも１つの炭素原子を有する直鎖状あるいは分枝状アルキル鎖、及びＸはハロゲンあるいはアルキル、とりわけ１〜２４個の炭素原子のアルキル鎖、アリール、ハロゲン、エステル、エーテル、アミン、アミド、置換型フタルアミノ、イミド、水酸化物、硫化物、硫酸化物、スルホン化物、カルボン酸化物、複素環、硝酸、アルデヒド、ホスホン酸、ホスホン化物あるいはこれれらの混合物からなる群から選択される。
【００７３】
特にＲ基は好ましくは２４個までの炭素原子を含む。あるいは、Ｒ基はアリール、ハロゲン、エステル、エーテル、アミン、アミド、置換型フタル酸アミノ、イミド、水酸化物、硫化物、硫酸化物、スルホン化物、カルボン酸、複素環、硝酸、アルデヒド、ケトン、あるいはそれらの混合物からなる群から選択される置換基を含む１つ以上の側鎖を含む分枝状アルキル鎖であってよい。
好ましい予備形成過酸化物において前記一般式によるＸ基はフタルイミド基である。このように、特に好ましい好ましい予備形成過酸化物は以下の一般式を有する。
【００７４】
【化２２】
2005507432.tif 000023
【００７５】
式中、ＲはＣ１−２０並びにＡ、Ｂ、Ｃ及びＤは独立してハロゲンあるいはアルキル、ヒドロキシル、ニトロ、ハロゲン、アミン、アンモニウム、シアニド、カルボン酸、スルフェート、スルホネート、アルデヒド、あるいはそれらの混合物からなる群から独立して選択される置換基である。
本発明の好ましい観点において、Ｒは３〜１２個の炭素原子、より好ましくは５〜９個の炭素原子を有するアルキル基である。好ましい置換基Ａ，Ｂ，Ｃ及びＤは、１〜５個の炭素原子を有する直鎖状あるいは分枝状アルキル基であるが、より好ましくは水素である。
好ましい予備形成過酸化物は、フタロイルアミドペルオキシへキサン酸（ＰＡＰ）、フタロイルアミドペルオキシへプタン酸、フタロイルアミドペルオキシオクタン酸、フタロイルアミドペルオキシノナノン酸、フタロイルアミドペルオキシデカン酸、及びそれらの混合物からなる群から選択される。
【００７６】
本発明のとりわけ好ましい観点において、過酸化物はＲがＣ５Ｈ１０（すなわち、ＰＡＰ）であるような式を有する。
組成物の第一成分が予備形成過酸化物である過酸化物供給源を含むなら、第一成分のｐＨは組成物の第二成分のｐＨより低くてよい。本発明のこの実施例において、好ましくは第一成分は３．０〜６．０、好ましくは４．０〜５．０の範囲のｐＨを有する。本発明のこの実施例において、第二成分は好ましくはアルカリ性供給源、例えば、炭酸ナトリウム及び／又は重炭酸ナトリウムなどの炭酸塩供給源を含む。
【００７７】
組成物及びそれらの成分
本明細書の組成物は小袋に含有される。組成物は小袋の異なる区分に含有される少なくとも２つの成分から成り立っている。組成物のこれらの成分は本明細書いおいて以下により詳細に記載する。
本明細書の組成物は洗浄組成物あるいは織物ケア組成物、好ましくは堅い表面用の洗浄剤、より好ましくは前処理あるいは浸漬組成物及びすすぎ添加組成物を包含する洗濯物あるいは皿洗浄組成物である。
典型的には組成物は、１つあるいは多数の小袋組成物が１度の洗浄に十分であるような量の洗浄性組成物を含む。
【００７８】
第一成分
第一成分は液体マトリックスを含む。好ましくは第一成分は（第一成分の）少なくとも２０質量％、あるいはさらに少なくとも３０質量％の液体マトリックス、好ましくは少なくとも４０質量％、あるいはさらに少なくとも５０質量％、あるいは少なくとも６０質量％、あるいは少なくとも７０質量％、あるいは少なくとも８０質量％、あるいはさらに少なくとも９０質量％の液体マトリックスを含む。第一成分は分散及び／又は懸濁された固体粒子を含んでもよく、それは第一成分の液体マトリックスに分散及び／又は懸濁される。例えば、第一成分の液体マトリックスに容易に溶解されない構成成分が懸濁された粒子の形態で存在してもよい。これらの構成成分としては本明細書の過酸化物供給源が挙げられる。もし存在するなら、ムラに分散されるこれらの懸濁粒子が好ましくてもよいが、懸濁粒子は好ましくは液体マトリックスにおいて均一に分散される。懸濁される粒子の全てが液体マトリックスの１つの範囲のみに懸濁されることが好ましい。
液体、あるいは液体マトリックスは典型的には周囲温度及び圧力、例えば、２０℃及び大気圧において液体形態であることを意味する。
【００７９】
第一成分は、好ましくは少なくとも３００ｍＰａＳ、より好ましくは少なくとも４００ｍＰａＳ、より好ましくは少なくとも５００ｍＰａｓ、より好ましくは少なくとも７５０ｍＰａｓ、より好ましくは少なくとも１０００ｍＰａｓ、より好ましくは少なくとも１５００ｍＰａｓ、より好ましくは少なくとも２０００ｍＰａｓ、より好ましくは少なくとも５０００ｍＰａｓ、あるいは少なくとも１００００ｍＰａｓ、あるいは少なくとも２５０００ｍＰａｓ、あるいは少なくとも５００００ｍＰａｓの粘度を有する粘調性の液体マトリックス含む。これは過酸化物供給源が懸濁粒子の形態である時とりわけ好ましく、過酸化物供給源が非粘性液体マトリックスに懸濁あるいは分散される時と比較して、さらに織物におこるまだらになる損傷の危険性を低減する。
【００８０】
理論に限定されるものではないが、粘調性の液体マトリックスによって、懸濁される過酸化物供給源が第一成分の液体マトリックスに十分に分散あるいは懸濁されて残存することが可能になり、及び洗浄工程の間小袋から分散された時、洗浄中に織物に移りまだらになる損傷の危険性を増大させる大きな固体錯体が過酸化物供給源から形成されるのを防ぐ。
粘調性の液体マトリックスの粘度は、典型的には２０ｓ−１〜５０ｓ−１、好ましくは２５ｓ−１あるいは２５ｓ−１〜５０ｓ−１のせん断速度で測定する。当業者には、もし粘調性の液体のレオロジーがこの範囲内のせん断速度で正確に測定できないならば、この範囲外のせん断速度を使用することがわかる。粘調性の液体マトリックスは、１０Ｎｍ−２〜２００Ｎｍ−２の降伏応力を有してもよい。
第一成分の液体マトリックスは非水性であってよく、好ましくは１％未満あるいは０．５％未満の遊離水を含む。第一成分は（第一成分の質量の）５％未満、好ましくは４％未満、あるいは３％未満、あるいは２％未満、あるいは１％未満、あるいは０．５％未満の遊離水を含んでもよい。
【００８１】
第一成分の液体マトリックスは溶媒を含んでもよい。好ましい溶媒は小袋物質を溶解しないか損傷しない。より好ましくは溶媒は長鎖、低極性溶媒である。長鎖は６個より多い炭素原子の炭素鎖を含む溶媒を意味し、低極性は４０未満の誘電率を有する溶媒を意味する。好ましい溶媒としては、Ｃ１２〜１４パラフィン及びより好ましくはＣ１２〜１４イソ−パラフィンが挙げられる。他の溶媒としては、メタノール、エタノール、プロパノール、イソプロパノール、それらの誘導体、及びそれらの組み合わせなどのアルコール類が挙げられる。本明細書の使用に好適な他の溶媒としてはジオール類である。本明細書の使用に好適な他の溶媒としては、グリセロール、ジプロピレングリコール、ブチルアルコール、ブトキシ−プロポキシプロパノール、パラフィン油及び２アミノ−２メチルプロパノール、及びそれらの組み合わせが挙げられる。
第一成分は好ましくは過酸化物不適合構成成分を含まない。過酸化物不適合構成成分は本明細書において以下により詳細に記載する。これが組成物、それらの成分及びそれらの構成成分の安定性を増大させ、過酸化物供給源が過酸化物不適合構成成分と分離して含有されるので、過酸化物供給源及び不適合構成成分が互いに相互作用を及ぼすのを防ぎ、水溶性小袋中の組成物の保存中に１つ以上のこれらの構成成分、及び／又は過酸化物供給源それ自体が分解、破壊及び／又は不活性化されるのを避ける。
【００８２】
第二成分
組成物の第二成分は組成物の第一成分と異なる小袋の区分に含有される。
好ましくは第二成分は漂白剤不適合構成成分を含む。漂白剤不適合成分は本明細書において以下により詳細に記載する。好ましくは第二成分は過酸化物供給源を含まない。
好ましくは、過酸化物供給源によって不活性化あるいは破壊される漂白剤不適合構成成分を含む第二区分は、好ましくは、第一成分を含有する第一区分を形成する小袋物質と比較してより容易に溶解する小袋物質から製造される。例えば、第二区分の小袋物質は第一区分の小袋物質より薄くてもよい。あるいは第二物質の小袋物質は、小袋物質の水分散度あるいは水溶解度を促進あるいは増大するコーティングをしてもよい。あるいは第一成分の小袋物質は、小袋物質の水溶解度を低減するコーティングをしてもよい。これによって、第一区分より速く第二区分が溶解あるいは分散すること、第一成分より前に第二成分が洗浄液に分配されることが可能になる。
【００８３】
組成物の成分の連続的な放出によって組成物の洗浄性能が増大される。これは、もし第二成分が漂白剤不適合構成成分を含むなら、漂白剤構成成分が洗浄液へ分配される前に、漂白剤不適合構成成分が洗浄液に分配され、機能し始めることができるので、とりわけ好ましい。漂白剤不適合構成成分は本明細書において以下により詳細に記載する。
もし、漂白剤不適合構成成分が漂白剤構成成分を分解、破壊あるいは不活性化するなら逆が好ましく、第一区分及び／又は第二区分は、好ましくは第一成分が第二成分より前に洗浄液へ分配されるように処理される。好ましくは第二成分は組成物の第一成分より少なくとも５秒、より好ましくは少なくとも１０秒、あるいは少なくとも２０秒、あるいは少なくとも４５秒、あるいは少なくとも１分、あるいは少なくとも３分、あるいは少なくとも５分、あるいはさらに少なくとも１０分前に洗浄液体に分配される。あるいは、好ましくは第一成分は組成物の第二成分より少なくとも５秒、より好ましくは少なくとも１０秒、あるいは少なくとも２０秒、あるいは少なくとも４５秒、あるいは少なくとも１分、あるいは少なくとも３分、あるいは少なくとも５分、あるいはさらに少なくとも１０分前に洗浄液に分配される。
【００８４】
本発明のこの実施例において、洗浄液に最初に分配される成分は、好ましくは洗浄サイクルの初めに洗浄液体で作用させるのに有益である他の成分を含む。例えば、かかる構成成分としては界面活性剤及びビルダー、とりわけ水溶性ビルダーが挙げられる。また、本明細書の組成物は織物柔軟剤を含むなら、前記織物柔軟剤は洗浄液に最後に分配される組成物の成分に含まれてもよい。これによって、組成物の柔軟化性能が改善される。
第二成分は液体マトリックスあるいは固体マトリックスを含んでもよい。好ましくは第二成分は液体マトリックスを含む。好ましくは第二成分は（第二成分の）少なくとも２０質量％、あるいはさらに少なくとも３０質量％の液体マトリックス、好ましくは少なくとも４０質量％、あるいはさらに少なくとも５０質量％、あるいは少なくとも６０質量％、あるいは少なくとも７０質量％、あるいは少なくとも８０質量％、あるいはさらに少なくとも９０質量％の液体マトリックスを含む。第二成分は本明細書で前記したような液体マトリックス、溶媒を含んでもよい。この溶媒は第一成分に含まれる溶媒と同じ種類の溶媒であってよく、あるいは第一成分に含まれる溶媒と異なる種類の溶媒であってもよい。
【００８５】
第二成分は好ましくは水性液体マトリックスを含み、好ましくは（第二成分の）１質量％以上の遊離水、好ましくは２質量％以上、あるいは３質量％以上、あるいは４質量％以上、あるいは５質量％以上の遊離水を含み、及び好ましくは（第二成分の）２５質量％までの遊離水、好ましくは２０質量％まで、あるいは１５質量％まで、あるいは１０質量％までの水を含む。もし第一成分が非水性液体水性液体マトリックスを含むなら、好ましくは第二成分は水性液体水性液体マトリックスを含む。本発明のこの好ましい実施例において、非水性環境を好むか、あるいは非水性環境においてより容易に処方される構成成分は、好ましくは組成物の第一成分に含まれるのに対して、水性環境を好むか、あるいは水性環境においてより容易に処方される構成成分は、好ましくは組成物の第二成分に含まれる。
【００８６】
第二成分は、好ましくは３００ｍＰａｓ未満、好ましくは２００ｍＰａｓ未満、あるいは１００ｍＰａｓ未満、あるいは５０ｍＰａｓ未満、あるいは２５ｍＰａｓ未満の粘度を有する低粘性液体マトリックスを含む。これは、もし第一成分が粘調性の液体マトリックスを含むならとりわけ好ましい。
低粘性液体マトリックスの粘度は、典型的には２０ｓ−１〜５０ｓ−１、好ましくは２５ｓ−１、あるいは２５ｓ−１〜５０ｓ−１のせん断速度で測定する。もし低粘性液体のレオロジーが、この範囲内のせん断速度で正確に測定できないならば、この範囲外のせん断速度を使用することが当業者にはわかる。
第二成分は過酸化物供給源及び／又は任意の漂白構成成分及び漂白補助構成成分を含んでもよい。好ましくは第二成分の漂白構成成分は、第一成分の過酸化物供給源及び／又は他の任意の漂白構成成分及び漂白補助構成成分と異なる種類である。好ましくは、第一成分の過酸化物供給源及び他の任意の漂白構成成分及び漂白補助構成成分及び第二成分の漂白構成成分は互いに接触する時、とりわけ水性及び／又は酸化環境にある時、活性化漂白系を形成する。
【００８７】
これらの漂白構成成分は組成物の異なる成分に含まれ、小袋の異なる区分に含有されるので、組成物の漂白系の漂白活性のレベルは、少なくとも初めは、これらの漂白構成成分がお互いに接触するように分布されるまで低減される。そのため、洗浄サイクルのこの段階において、漂白構成成分は十分に分散され、その後洗浄工程において織物に起こるまだらになる損傷の危険性は低減される。漂白構成成分は、織物に起こるまだらになる損傷の危険性をさらに低減するために、本明細書に記載したように連続的に放出されてもよい。
本発明の好ましい実施例は、第二成分が、好ましくは酵素、香料、キレート剤、あるいはそれらの組み合わせからなる群から選択される過酸化物不適合構成成分を含む組成物である。これは過酸化物不適合構成成分の不安定性を低減し、過酸化物供給源の不安定性を低減してよく、本明細書の組成物の性能を改善する。
本発明のその他の好ましい実施例は、第二成分が、好ましくは漂白増進剤、漂白触媒、あるいはそれらの組み合わせからなる群から選択される漂白補助構成成分を含む組成物である。これは保存期間の組成物の漂白系の不安定性を低減する。
【００８８】
任意構成成分
組成物及びそれらの成分は、ビルダー化合物、界面活性剤、酵素、アルカリ供給源、着色剤、香料、石灰石鹸分散剤、ポリマー染料付着阻害剤を包含する有機ポリマー化合物、結晶成長阻害剤、重金属イオン封鎖剤、金属イオン塩、酵素安定剤、腐食阻害剤、泡抑制剤、溶媒、織物柔軟剤、光学的光沢剤、及び屈水性誘発物質を包含する多様な異なる構成成分を含んでもよい。
本明細書に記載される構成成分の好ましい量は全て本明細書の組成物の質量による％である。
【００８９】
任意の漂白構成成分及び漂白補助構成成分
過酸化物供給源
過酸化物供給源は典型的に過酸化水素供給源である。好適な過酸化水素供給源としては無機過水和物塩が挙げられる。
無機過水和物塩の実施例としては、過ホウ酸、過炭酸、過ホスフェート、過スルフェート、及び過珪酸塩が挙げられる。無機過水和物塩は通常アルカリ金属塩である。無機過水和物塩は追加的な保護をしない結晶性固体として包含されてよい。しかし、ある種の過水和物塩については、好ましい実施例において過水和物塩のよりすぐれた保存安定性を提供する無機過水和物塩のコーティングされた形態で使用してもよい。
過ホウ酸ナトリウムは、一般式ＮａＢＯ２Ｈ２Ｏ２の一水和物あるいはＮａＢＯ２Ｈ２Ｏ２．３Ｈ２Ｏの四水和物の形態であることができる。
【００９０】
アルカリ金属過炭酸塩、とりわけ過炭酸ナトリウムは本明細書の使用に好ましい過水和物である。過炭酸ナトリウムは、２Ｎａ２ＣＯ３．３Ｈ２Ｏ２に相当する式を有する追加の化合物であり、及び結晶固体として入手可能である。過炭酸塩は製品内の安定性を提供するコーティングされた形態であるのが最も好ましい。
製品内の安定性を提供する好適なコーティング物質は、水溶性アルカリ金属の塩、あるいはそれらの混合物を含む。例えば、硫酸塩及び／又は炭酸塩である。コーティング工程とともにかかるコーティングについて、例えば、１９７７年３月９日にインテロックス（Ｉｎｔｅｒｏｘ）に許可されたＧＢ−１，４６６，７９９にあらかじめ記載されている。コーティング物質の過炭酸塩に対する質量比は１：２００〜１：４、より好ましくは１：９９〜１：９、最も好ましくは１：４９〜１：１９の範囲である。
製品内の安定度を提供するその他の好適なコーティング物質は、ＳｉＯ２：Ｎａ２Ｏの比が１．８：１〜３．０：１、好ましくは１．８：１〜２．４：１の珪酸ナトリウム及び／又は好ましくは無機過水和物塩の２質量％〜１０質量％（通常３質量％〜５質量％）のＳｉＯ２の濃度で適用されるメタ珪酸ナトリウムを含む。珪酸マグネシウムをコーティングに包含することもできる。珪酸塩あるいは他の無機物を含有するコーティングもまた好適である。
【００９１】
漂白触媒
本明細書における組成物は漂白触媒を含んでもよい。本明細書で使用する用語「漂白触媒」は、触媒的な漂白増進剤である化合物を包含する。好ましくは漂白触媒は漂白剤触媒を含有する金属、より好ましくは漂白触媒を含有する遷移金属、及びよりいっそう好ましくはマンガナーゼあるいは漂白触媒含有コバルトである。
本発明の組成物は有効な量の漂白触媒を含んでもよい。用語「有効な量」は、「組成物、あるいは使用中に存在する漂白触媒の量がどのような比較あるいは使用条件が使用されても、組成物あるいは方法によって酸化されることが要求される物質の結果的に少なくとも部分的な酸化をするのに十分であること」として定義される。好ましくは本発明の組成物は、組成物の１ｐｐｂ（０．００００００１質量％）以上、より好ましくは１００ｐｐｂ（０．００００１質量％）以上、よりさらに好ましくは５００ｐｐｂ（０．００００５質量％）、いっそうより好ましくは１ｐｐｍ（０．０００１質量％）〜９９．９質量％、より好ましくは５０質量％まで、さらにより好ましくは５質量％まで、いっそうより好ましくは５００ｐｐｍ（０．０５質量％）の本明細書に以下に記載するような漂白触媒を含む。
【００９２】
漂白触媒の好ましい種類としてはマンガナーゼベース錯体が挙げられる。これら触媒の好ましい例としては、ＭｎＩＶ２（ｕ−Ｏ）３（１，４，７−トリメチル−１，４，７−トリアザシクロノナン）２−（ＰＦ６）２、ＭｎＩＩＩ２（ｕ−Ｏ）１（ｕ−ＯＡｃ）２（１，４，７−トリメチル−１，４，７−トリアザシクロノナン）２−（ＣｌＯ４）２、ＭｎＩＶ４（ｕ−Ｏ）６（１，４，７−トリアザシクロノナン）４（ＣｌＯ４）２、ＭｎＩＩＩＭｎＩＶ４（ｕ−Ｏ）１（ｕ−ＯＡｃ）２−（１，４，７−トリメチル−１，４，７−トリアザシクロノナン）２−（ＣｌＯ４）３，及びそれらの混合物が挙げられる。
好ましい漂白触媒としてはＣｏ、Ｃｕ、Ｍｎ、Ｆｅ、−ビスピリジルメタン及び−ビスピリジルアミン錯体が挙げられる。とりわけ好ましい触媒としては、Ｃｏ（２，２’−ビスピリジルアミン）Ｃｌ２、ジ（イソチオシアナト）ビスピリジルアミン−コバルト（ＩＩ）、トリスジピリジルアミンーコバルト（ＩＩ）パークロレート、Ｃｏ（２，２−ビスピリジルアミン）２Ｏ２ＣｌＯ４、ビス−（２，２’−ビスピリジルアミン）銅（ＩＩ）パークロレート、トリス（ジ−２−ピリジルアミン）鉄（ＩＩ）パークロレート、及びそれらの混合物が挙げられる。好ましい例としては、Ｎ４ＭｎＩＩＩ（ｕ−Ｏ）２ＭｎＩＶＮ４）＋及び［ビピ２ＭｎＩＩＩ（ｕ−Ｏ）２ＭｎＩＶビピ２］−（ＣｌＯ４）３を包含するテトラ−Ｎ−デンテート及びビ−Ｎ−デンテート結合を伴う二核Ｍｎ錯体が挙げられる。
【００９３】
本明細書に有用な最も好ましいコバルト触媒は、式［Ｃｏ（ＮＨ３）５ＯＡｃ］Ｔｙを有するコバルトペンタアミンアセテート塩、式中、ＯＡｃはアセテート部分、及びとりわけコバルトペンタアミンアセテートクロリド、［Ｃｏ（ＮＨ３）５ＯＡｃ］Ｃｌ２；並びに［Ｃｏ（ＮＨ３）５ＯＡｃ］（ＯＡｃ）２；［Ｃｏ（ＮＨ３）５ＯＡｃ］（ＰＦ６）２；［Ｃｏ（ＮＨ３）５ＯＡｃ］（ＳＯ４）；［Ｃｏ（ＮＨ３）５ＯＡｃ］（ＢＦ４）２；及び［Ｃｏ（ＮＨ３）５ＯＡｃ］（ＮＯ３）２（本明細書では「ＰＡＣ」）に相当する。
【００９４】
他の好適な漂白触媒としては以下を含む遷移金属漂白触媒が挙げられる。
ｉ）Ｍｎ（ＩＩ）、Ｍｎ（ＩＩＩ）、Ｍｎ（ＩＶ）、Ｍｎ（Ｖ）、Ｆｅ（ＩＩ）、Ｆｅ（ＩＩＩ）、Ｆｅ（ＩＶ）、Ｃｏ（Ｉ）、Ｃｏ（ＩＩ）、Ｃｏ（ＩＩＩ）、Ｎｉ（Ｉ）、Ｎｉ（ＩＩ）、Ｎｉ（ＩＩＩ）、Ｃｕ（Ｉ）、Ｃｕ（ＩＩ）、Ｃｕ（ＩＩＩ）、Ｃｒ（ＩＩ）、Ｃｒ（ＩＩＩ）、Ｃｒ（ＩＶ）、Ｃｒ（Ｖ）、Ｃｒ（ＶＩ）、Ｖ（ＩＩＩ）、Ｖ（ＩＶ）、Ｖ（Ｖ）、Ｍｏ（ＩＶ）、Ｍｏ（Ｖ）、Ｍｏ（ＶＩ）、Ｗ（ＩＶ）、Ｗ（Ｖ）、Ｗ（ＶＩ）、Ｐｄ（ＩＩ）、Ｒｕ（ＩＩ）、Ｒｕ（ＩＩＩ）、及びＲｕ（ＩＶ）、好ましくはＭｎ（ＩＩ）、Ｍｎ（ＩＩＩ）、Ｍｎ（ＩＶ）、Ｆｅ（ＩＩ）、Ｆｅ（ＩＩＩ）、Ｆｅ（ＩＶ）、Ｃｒ（ＩＩ）、Ｃｒ（ＩＩＩ）、Ｃｒ（ＩＶ）、Ｃｒ（Ｖ）Ｃｒ（ＶＩ）、及びそれらの混合物からなる群から選択される遷移金属、
ｉｉ）同じ遷移金属に４つあるいは５つのドナー原子が配位結合する架橋巨大多環式結合、該結合は以下を含む。
【００９５】
ａ）２つあるいは３つの非ドナー原子の共有結合によって、それぞれ分離される４つ以上のドナー原子（好ましくは少なくとも３つ、より好ましくは少なくとも４つ、これらのドナー原子はＮ）を含有する有機巨大環式環、これらのドナー原子の２つ〜５つ（好ましくは３つ〜４つ、より好ましくは４つ）は錯体の同じ遷移金属原子に配位結合されている、
ｂ）有機巨大環式環の少なくとも２つの隣接していないドナー原子において共有結合的に結合する架橋鎖、該共有結合非隣接ドナー原子は錯体において同じ遷移金属に配位結合される端の両端のドナー原子であり、その際、該架橋鎖は２〜１０個の原子を含む（好ましくは架橋鎖は２、３あるいは４個の非ドナー原子、及びさらにドナー原子を伴う４〜６個の非ドナー原子から選択される）、及び
ｉｉｉ）Ｈ２Ｏ、ＲＯＨ、ＮＲ３、ＲＣＮ、ＯＨ−、ＯＯＨ−、ＲＳ−、ＲＯ−、ＲＣＯＯ−、ＯＣＮ−、ＳＣＮ−、Ｎ３−、ＣＮ−、Ｆ−、Ｃｌ−、Ｂｒ−、Ｉ−、Ｏ２−、ＮＯ３−、ＮＯ２−、ＳＯ４２−、ＳＯ３２−、ＰＯ４３−、有機ホスフェート類、有機ホスホネート類、有機スルフェート類、有機スルホネート類、及びピリジン類、ピラジン類、ピラゾール類、イミダゾール類、ベンズイミダゾール類、ピリミジン類、トリアゾール類、及びＲがＨであるチアゾール類などの芳香族Ｎドナー、任意に置換されるアルキル、任意に置換されるアリールからなる群から好ましく選択される１つ以上の任意の非巨大多環式結合。
【００９６】
とりわけ有用な漂白触媒は［Ｍｎ（ビシクラム）Ｃ１２］である。
【００９７】
【化２３】
2005507432.tif 000024
【００９８】
「ビシクラム」（Ｂｃｙｃｌａｍ）（５，１２−ジメチル−１，５，８，１２−テトラアザ−ビシクロ［６．６．２］ヘキサデカン）はジャーナル・オブ・アメリカン・ケミカル・ソサエティ（Ｊ． Ａｍｅｒ． Ｃｈｅｍ． Ｓｏｃ．）（１９９０年）、１１２、８６０４によって調製される。
本明細書の漂白触媒は、製品の審美性をもし望むなら、色の影響を低減するため、あるいは本明細書で以下に例示するような酵素含有粒子に包含されるため、添加物質とともに加工してもよいし、あるいは組成物は触媒「スペックル」を含有するように製造してもよい。
他の漂白触媒は遷移金属と共に錯体を形成し、洗浄液中の周囲の酸素と反応して基質の漂白を触媒する化合物である。この種類の好ましい漂白触媒は以下の式を有する。
【００９９】
［ＭａＬｋＸｎ］Ｙｍ
式中、
ａは１〜１０、好ましくは１〜４の整数であり、
ｋは１〜１０の整数であり、
ｎは１〜１０、好ましくは１〜４の整数であり、
ｍはゼロあるいは１〜２０、好ましくは１〜４の整数であり、
ＭはＭｎ（ＩＩ）−（ＩＩＩ）−（ＩＶ）−（Ｖ）、Ｃｕ（Ｉ）−（ＩＩ）−（ＩＩＩ）、Ｆｅ（ＩＩ）−（ＩＩＩ）−（ＩＶ）−（Ｖ）、Ｃｏ（Ｉ）−（ＩＩ）−（ＩＩＩ）、Ｔｉ（ＩＩ）−（ＩＩＩ）−（ＩＶ）、Ｖ（ＩＩ）−（ＩＩＩ）−（ＩＶ）−（Ｖ）、Ｍｏ（ＩＩ）−（ＩＩＩ）−（ＩＶ）−（Ｖ）−（ＶＩ）、及びＷ（ＩＶ）−（Ｖ）−（ＶＩ）、好ましくはＦｅ（ＩＩ）−（ＩＩＩ）−（ＩＶ）−（Ｖ）から選択される金属であり、
ＸはＯ２−、ＲＢＯ２２−、ＲＣＯＯ−、ＲＣＯＮＲ−、ＯＨ−、ＮＯ３−、ＮＯ、Ｓ２−、ＲＳ−、ＰＯ４３−、ＰＯ３ＯＲ３−、Ｈ２Ｏ、ＣＯ３２−、ＨＣＯ３−、ＲＯＨ、Ｎ（Ｒ）３、ＲＯＯ−、Ｏ２２−、Ｏ２−、ＲＣＮ、Ｃｌ−、Ｂｒ−、ＯＣＮ−、ＳＣＮ−、ＣＮ−、Ｎ３−、Ｆ−、Ｉ−、ＲＯ−、ＣｌＯ４−、及びＣＦ３ＳＯ３−から選択される配位結合種に相当し、
ＹはＣｌＯ４−、ＢＲ４−、［ＭＸ４］−、［ＭＸ４］２−、ＰＦ６−、ＲＣＯＯ−、ＮＯ３−、ＲＯ−、Ｎ＋（Ｒ）４、ＲＯＯ−、Ｏ２２−、Ｏ２−、Ｃｌ−、Ｂｒ−、Ｆ−、Ｉ−、ＣＦ３ＳＯ３−、Ｓ２Ｏ６２−、ＯＣＮ−、Ｈ２Ｏ、及びＢＦ４−から選択される非配位結合対イオンに相当し、
それぞれのＲは独立して水素、ヒドロキシル、−Ｒ’及びＯＲ’から選択され、その際Ｒ’は独立してアルキル、アルケニル、シクロアルキル、ヘテロシクロアルキル、アリール、ヘテロアリール、あるいはカルボニル誘導基から選択され、Ｒ’は任意に１つ以上の官能基Ｅで置換され、
Ｅは独立してＦ、Ｃｌ、Ｂｒ、Ｉ、ＯＨ、ＯＲ’、ＮＨ２、ＮＨＲ’、Ｎ（Ｒ’）２、Ｎ（Ｒ’）２、Ｎ（Ｒ’）３＋、Ｃ（Ｏ）Ｒ’、ＯＣ（Ｏ）Ｒ’、ＣＯＯＨ、ＣＯＯ−（Ｎａ＋、Ｋ＋）、ＣＯＯＲ’、Ｃ（Ｏ）ＮＨ２、Ｃ（Ｏ）ＮＨＲ’、Ｃ（Ｏ）Ｎ（Ｒ’）２、ヘテロアリール、Ｒ’、ＳＲ’、ＳＨ、Ｐ（Ｒ’）２、Ｐ（Ｏ）（Ｒ’）２、Ｐ（Ｏ）（ＯＨ）２、Ｐ（Ｏ）（ＯＲ’）２、ＮＯ２、ＳＯ３Ｈ、ＳＯ３−（Ｎａ＋、Ｋ＋）、Ｓ（Ｏ）２Ｒ’、ＨＮＣ（Ｏ）Ｒ’、及びＮ（Ｒ’）Ｃ（Ｏ）Ｒ’から選択され、
Ｌは以下の一般式を有する結合であり、
【０１００】
【化２４】
2005507432.tif 000025
【０１０１】
式中、
ｎ＝１あるいは２、もしｎ＝２ならそれぞれのＱ３−Ｒ３基は独立して定義され、
Ｒ１、Ｒ２、Ｒ３、Ｒ４は独立して水素、ヒドロキシル、ハロゲン、−ＮＨ−Ｃ（ＮＨ）−ＮＨ２、−Ｒ及び−ＯＲからなる群から選択され、その際Ｒ＝アルキル（アルケニル）、シクロアルキル、ヘテロシクロアルキル、アリール、ヘテロアリールあるいはカルボニル誘導体基であり、Ｒは任意に１つ以上の官能基Ｅで置換され、
Ｑ１、Ｑ２、Ｑ３、Ｑ４は独立して以下の式を有する構造の群から選択され、
【０１０２】
【化２５】
2005507432.tif 000026
【０１０３】
式中、ａ＝０〜５、ｂ＝０〜５、ｃ＝０〜５、ｎ＝１あるいは２、及びａ＋ｂ＋ｃ＝１〜５の数であり、
ＹはＯ、Ｓ、ＳＯ、−ＳＯ２−、Ｃ（Ｏ）、アリーレン、アルキレン、ヘテロアリーレン、へテロシクロアルキレン、（Ｇ）Ｐ、Ｐ（Ｏ）、及び（Ｇ）Ｎからなる群から選択され、その際Ｇは水素、アルキル、アリール、アリールアルキル、シクロアルキルから選択され、水素以外は任意に１つ以上の官能基Ｅで置換され、
Ｒ５、Ｒ６、Ｒ７及びＲ８は独立して水素、ヒドロキシル、ハロゲン、−Ｒ及び−ＯＲからなる群から選択され、
Ｒはアルキル、アルケニル、シクロアルキル、ヘテロシクロアルキル、アリール、ヘテロシクロアルキル、アリール、ヘテロアリール及び１つ以上の官能基Ｅで任意に置換されるカルボニル誘導体基に相当し、あるいはＲ５とＲ６、あるいはＲ７とＲ８、あるいは両方ともが酸素に相当し、あるいはＲ５とＲ７及び／又は独立してＲ６とＲ８、あるいはＲ５とＲ８及び／又は独立してＲ６とＲ７は任意にＣ１−４アルキル、−Ｆ、−Ｃｌ、−Ｂｒ、あるいは−Ｉで置換されたＣ１−６アルキルの相当し、Ｒ１、Ｒ２、Ｒ３、Ｒ４の少なくとも２つが配位結合ヘテロ原子を含むなら及びわずか６個のヘテロ原子が同じ遷移金属原子に配位結合され、
Ｑは−（ＣＨ２）２−４、−ＣＨ２ＣＨ（ＯＨ）ＣＨ２、
【０１０４】
【化２６】
2005507432.tif 000027
【０１０５】
から選択され、任意にメチルあるいはエチル、
【０１０６】
【化２７】
2005507432.tif 000028
【０１０７】
及び
【０１０８】
【化２８】
2005507432.tif 000029
【０１０９】
で置換される。
【０１１０】
漂白増進剤
本明細書で定義したような漂白増進剤は触媒的漂白増進化合物を包含する。
本明細書の使用に好適な好ましい漂白増進剤がＵＳ５８１７６１４に記載されている。
本明細書の使用に好ましい他の漂白増進剤はＥＰ７２８１８３に記載されている四級イミン塩である。好ましい四級イミン塩は以下の一般式を有する。
【０１１１】
【化２９】
2005507432.tif 000030
【０１１２】
式中、
Ｒ１及びＲ４は水素あるいはフェニル、アリール、複素環式環、アルキル、及びシクロアルキル基からなる群から選択されるＣ１−Ｃ３０置換型あるいは非置換型基であり、
Ｒ２は水素あるいはフェニル、アリール、複素環式環、アルキル、シクロアルキル、ニトロ、ハロ、アルコキシ、ケト、カルボキシ、及びカルボアルコキシ基からなる群から選択されるＣ１−Ｃ３０置換型あるいは非置換型基であり、
Ｒ３はフェニル、アリール、複素環式環、アルキル、シクロアルキル、ニトロ、ハロ、及びシアノ基からなる群から選択されるＣ１−Ｃ３０置換型あるいは非置換型基であり、
Ｒ１とＲ２、及びＲ２とＲ３はそれぞれ共にシクロアルキル、ポリシクロ、複素環式あるいは芳香族環系を形成し、
Ｘ−は酸化剤の存在において安定な対イオンである。
他の好ましい漂白増進剤は以下の一般式を有するスルホイミン類である。
【０１１３】
【化３０】
2005507432.tif 000031
【０１１４】
式中、
Ｒ１は水素あるいは置換型あるいは非置換型フェニル、アリール、複素環式、アルキルあるいはシクロアルキル基であってよく、
Ｒ２は水素あるいは置換型あるいは非置換型フェニル、アリール、複素環式、アルキルあるいはシクロアルキル基あるいはケト、カルボキシ、カルボアルコキシあるいはＲ１Ｃ＝ＳＯ２−Ｒ３基であってよく、
Ｒ３は置換型あるいは非置換型フェニル、アリール、複素環式、アルキルあるいはシクロアルキル基あるいはニトロ、ハロあるいはシアノ基であってよく、
Ｒ１とＲ２及び／又はＲ２とＲ３はそれぞれシクロアルキル、複素環式あるいは芳香族環系を形成してもよい。
他の好ましい漂白増進剤は、以下の一般式を有するアリーリミウム（ａｒｙｌｉｍｉｕｍ）双極性イオンである。
【０１１５】
【化３１】
2005507432.tif 000032
【０１１６】
あるいは
式中、Ｒ１は水素、及び直鎖状あるいは分枝状Ｃ１〜Ｃ１８置換型あるいは非置換型アルキル鎖からなる群から選択され、あるいは以下の一般式を有する。
【０１１７】
【化３２】
2005507432.tif 000033
【０１１８】
式中、Ｒ１は直鎖状あるいは分枝状Ｃ１〜Ｃ１８置換型あるいは非置換型アルキル鎖からなる群から選択される。
他の好適な漂白増進剤は以下の一般的な構造を有する。
【０１１９】
【化３３】
2005507432.tif 000034
【０１２０】
式中、
実効電荷は＋３〜−３であり、
Ｇが存在する時ｍは１〜３であり、Ｇが存在しない時ｍは１〜４であり、
ｎは整数０〜４であり、
それぞれＲ２０は独立してＨ、アルキル、シクロアルキル、アリール、縮合アリール、複素環式環、縮合複素環式環、ニトロ、ハロ、シアノ、スルファナト、アルコキシ、ケト、カルボキシ及びカルボアルコキシ基からなる群から選択される置換型あるいは非置換型基から選択され、いずれの２つのビシナルＲ２０置換基が結合して縮合アリール、縮合カルボ環状あるいは融合複素環式環を形成してもよく、
Ｒ１８はＨ、アルキル、シクロアルキル、アルカリール、アリール、アルアルキル、複素環式環、シリル、ニトロ、ハロ、シアノ、スルファナト、アルコキシ、ケト、カルボキシル及びカルボアルコキシル基からなる群から選択される置換型あるいは非置換型基であってよく、
Ｒ１９はＨ、アルキル、シクロアルキル、アルカリール、アリール、アルアルキル、複素環式環からなる群から選択される置換型あるいは非置換型、飽和型あるいは不飽和型基であってよく、Ｇは（１）−Ｏ−、（２）−Ｈ（Ｒ２３）−及び（３）−Ｎ（Ｒ２３Ｒ２４）−からなる群から選択され、Ｒ２１〜Ｒ２４はＨ、酸素、直鎖状あるいは分枝状Ｃ１〜Ｃ１２アルキル類、アルキレン類、アルコキシ類、アリール類、アルカリール類、アルアルキル類、シクロアルキル類及び複素環式環からなる群から独立して選択される置換型あるいは非置換型基であり、Ｒ１８、Ｒ１９、Ｒ２０、Ｒ２１〜Ｒ２４がＲ１８、Ｒ１９、Ｒ２０、Ｒ２１〜Ｒ２４の他のいずれかと共に結合された場合共通の環の一部を形成し、
及びジェミナルＲ２１〜Ｒ２２は結合してカルボニルを形成してもよく、
及びビシナルＲ２１〜Ｒ２４は結合して置換型あるいは非置換型縮合不飽和部分を形成してもよく、
Ｘ−は好適な電荷平衡対イオンであり、
及びｖは整数１〜３である。
【０１２１】
他の好ましい漂白増進剤は、スルホニルオキサジリジン化合物、オキサジリジン四級塩化合物、それらの誘導体及びそれらの組み合わせである。
とりわけ好ましい漂白増進剤はジヒドロイソキノリウムＮ−プロピルスルホネートである。
【０１２２】
過酸化物不適合構成成分
過酸化物不適合構成成分は、過酸化物供給源とともに保存するとそれ自体不活性化あるいは破壊される構成成分である。他の過酸化物不適合構成成分は、過酸化物供給源と保存すると該過酸化物供給源を不活性化あるいは破壊する構成成分である。過酸化物不適合構成成分の例としては香料、酵素、キレート剤及びそれらの組み合わせが挙げられる。
好ましくは過酸化物不適合構成成分は過酸化物供給源とは小袋の異なる区分に含有される。過酸化物不適合構成成分は任意の漂白構成成分及び漂白補助構成成分として同じ区分に含有されてもよく、これはもし過酸化物不適合構成成分が任意の漂白構成成分及び漂白補助構成成分に対してより過酸化物供給源に対して感応性が高ければとりわけ好ましく、及びこれはまた、前記に加えてもし小袋が２つのみの区分を備えるなら好ましい。
【０１２３】
香料
本明細書の使用に好適な香料としては抽出物、精油、無水物、レシノイド、樹脂、花香油及びそれらの組み合わせなどの天然物質である香料成分を含む香料が挙げられる。本明細書の使用に好ましい他の香料としては炭化水素類、アルコール類、アルデヒド類、ケトン類、エーテル類、酸類、エステル類、アセタール類、ケタール類、ニトリル類及びそれらの組み合わせなどの合成物質を含む香料が挙げられる。合成物質は飽和型あるいは不飽和型化合物、脂肪族、カルボキシル及び複素環式化合物であることができる。本明細書の使用に好適な香料は有機香料成分及び合成香料成分の混合物を含んでもよい。香料は被包された香料でよい。香料はキャリア分子を含んでよい。香料は懸濁粒子の形態であってよい。
【０１２４】
酵素
本明細書に好適な酵素は好ましくはセルラーゼ、ヘミセルラーゼ、ペルオキシダーゼ、プロテアーゼ、グルコ−アミラーゼ、アミラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びそれらの混合物からなる群から選択される。
好ましい酵素としてはプロテアーゼ、アミラーゼ、リパーゼ、ペルオキシダーゼ、クチナーゼ及び／又は１つ以上の植物細胞壁分解酵素を伴うセルラーゼが挙げられる。
本発明に使用できるセルラーゼとしては細菌あるいは真菌セルラーゼの両方が挙げられる。好ましくは、それらは５及び１２の間の最適なｐＨ及び５０ＣＥＶＵ（セルロース粘度単位）より大きい活性度を有する。とりわけ好適なセルラーゼは色処理の利益を有するセルラーゼである。カレジム（Ｃａｒｅｚｙｍｅ）及びセルジム（Ｃｅｌｌｕｚｙｍｅ）（ノボ・ノルディスク（Ｎｏｖｏ Ｎｏｒｄｉｓｋ）Ａ／Ｓ）はとりわけ有用である。セルラーゼは通常組成物の酵素有効分の質量の０．０００１％〜２％の濃度で混合される。
【０１２５】
ペルオキシダーゼ酵素は、洗浄操作間の洗浄溶液中における基材からその他の基材への移動する染料あるいは顔料の付着を防ぐのに使用される。ペルオキシダーゼは当業界において既知であり、例えば、セイヨウワサビペルオキシダーゼ、リグニナーゼ及びクロロ−及びブロモ−ペルオキシダーゼなどのハロペルオキシダーゼが挙げられる。また好適なのはラッカーゼ酵素である。前記ペルオキシダーゼは通常組成物の酵素有効分の０．０００１質量％〜２質量％の濃度で混合される。
本明細書の使用に好適なリパーゼ酵素としては、本発明の組成物と組み合わせて使用する時、とりわけ有効であることが認められたＭ１リパーゼ（登録商標）及びリポマックス（Ｌｉｐｏｍａｘ）（登録商標）（ギスト−ブロケード）（Ｇｉｓｔ−Ｂｒｏｃａｄｅｓ）及びリポラーゼ（登録商標）及びリポラーゼ・ウルトラ（Ｌｉｐｏｌａｓｅ Ｕｌｔｒａ）（登録商標）ノボ（Ｎｏｖｏ）などのリパーゼが挙げられる。また好適なのはクチナーゼであり、それはリパーゼの特別な種類、すなわち界面の活性化を必要としないリパーゼとみなすことができる。リパーゼ及び／又はクチナーゼは通常組成物の酵素有効分の０．０００１質量％〜２質量％の濃度で組成物中に混合される。
【０１２６】
好適なプロテアーゼは、とりわけＢ．サブチリス（Ｂ． ｓｕｂｔｉｌｉｓ）及びＢ．リケニホルミス（Ｂ． ｌｉｃｈｅｎｉｆｏｒｍｉｓ）の株から得られるサブチリシン（サブチリシンＢＰＮ及びＢＰＮ’）である。１つの好適なプロテアーゼは、ｐＨ８−１２の範囲で最大活性を有するバシルス株から得られ、デンマークのノボ産業（Ｎｏｖｏ Ｉｎｄｕｓｔｒｉｅｓ）Ａ／Ｓ（本明細書において以降ノボと呼ぶ）によってエスペラス（ＥＳＰＥＲＡＳＥ）（登録商標）として開発及び販売されている。他の好適なプロテアーゼとしては、ノボ（Ｎｏｖｏ）からのアルカラーゼ（ＡＬＣＡＬＡＳＥ）（登録商標）、デュラジム（ＤＵＲＡＺＹＭ）（登録商標）及びサビナーゼ（ＳＡＶＩＮＡＳＥ）（登録商標）、並びにギスト−ブロケード（Ｇｉｓｔ−Ｂｒｏｃａｄｅｓ）からのマクサターゼ（ＭＡＸＡＴＡＳＥ）（登録商標）、クサカル（ＭＡＸＡＣＡＬ）（登録商標）、プロペラーゼ（ＰＲＯＰＥＲＡＳＥ）（登録商標）、クサペン（ＭＡＸＡＰＥＭ）（登録商標）（たんぱく質加工マクサカル）が挙げられる。また、本発明に好適なのは、特許出願ＥＰ２５１，４４６及びＷＯ９１／０６６３７に記載されているプロテアーゼ、ＷＯ９１／０２７９２に記載されているプロテアーゼブラップ（登録商標）及びＷＯ９５／２３２２１に記載されているものの変異型である。たんぱく質分解酵素は、組成物の０．０００１質量％〜２質量％、好ましくは０．００１質量％〜０．２質量％、より好ましくは０．００５質量％〜０．１質量％純酵素の濃度で本発明の組成物に混合される。
【０１２７】
アミラーゼ（α及び／又はβ）は炭水化物ベースの汚れの除去のために包含される。市販α−アミラーゼ製品はゲネンコール（Ｇｅｎｅｎｃｏｒ）からのピュラフェクト（Ｐｕｒａｆｅｃｔ）Ｏｘ  Ａｍ（登録商標）及びノボ・ノルディスクＡ／Ｓデンマーク（Ｎｏｖｏ Ｎｏｒｄｉｓｋ Ａ／Ｓ Ｄｅｎｍａｒｋ）から入手可能なターマミル（登録商標）、バン（登録商標）、フンガミル（登録商標）及びデュラミル（登録商標）、ナタラーゼ（登録商標）である。デンプン分解酵素は、組成物の０．０００１質量％〜２質量％、好ましくは０．０００１８質量％〜０．０６質量％、より好ましくは０．０００２４質量％〜０．０４８質量％純酵素の濃度で本発明の組成物に混合される。
【０１２８】
キレート剤
本明細書の組成物は好ましくはキレート剤を含む。キレート剤は本明細書において重金属イオンを封鎖（キレート）するように作用する成分を意味する。好ましくはキレート剤は少なくとも１つの窒素原子を含む。これらの成分はカルシウム及びマグネシウムキレート能力を有するものでもよいが、それらは優先的に鉄、マンガン及び銅などの重金属イオンと結合する選択性を示す。キレート剤は一般的には本明細書の組成物の０．０５質量％〜２質量％、好ましくは０．１質量％〜１．５質量％、より好ましくは０．２５質量％〜１．２質量％及び最も好ましくは０．５質量％〜１質量％の濃度で組成物中に存在する。
【０１２９】
濃厚剤
第一成分及び／又は第二成分、好ましくは第一成分は濃厚剤を含んでもよい。好ましくは第一成分は濃厚剤を含む。好ましい濃厚剤は過酸化物供給源の存在において安定である。濃厚剤は組成物中でその他のいずれかの機能を有し、例えば、濃厚剤は界面活性剤であってもよい。濃厚剤がもし小袋中の組成物に存在するなら、用語「濃厚剤」は本明細書で使用する時、小袋物質中に存在する成分あるいは構成成分を包含しない。
好ましい濃厚剤は１つ以上、好ましくは２つ以上の界面活性剤を含む。他の好ましい濃厚剤は、少なくとも１つの界面活性剤及び少なくとも１つの電解質を含み、好ましい電解質は無機塩である。他の好適な濃厚剤は、Ｃ８−２２アルキル鎖を含む三級アミンオキシドあるいは２つ以上のＣ１−５アルキル鎖を含む三級アルキルアミンオキシドである。好ましい濃厚剤は、陰イオン系界面活性剤と組み合わせて三級アミンオキシドを含む。
【０１３０】
他の好ましい濃厚剤はポリマー物質、好ましくはアクリル酸のポリマーを含む。他の好ましい濃厚剤は、アクリル酸、マレイン酸、アスパラギン酸、あるいはビニルエステルの合成ホモポリマー、コポリマー、ターポリマー、あるいはこれらの組み合わせであり、少なくとも２００ｋＤａ、好ましくは少なくとも３００ｋＤａ、より好ましくは少なくとも５００ｋＤａ、さらにより好ましくは少なくとも７５０ｋＤａ、最も好ましくは少なくとも１０００ｋＤａの分子量を有するものである。好ましくは、前記ポリマーは疎水変性である。好ましくは前記ポリマーは架橋ポリアクリレートである。好ましい架橋ポリアクリレート類は、ペンタエリスリトールあるいはスクロースのアルキルエーテル類で架橋されたアクリル酸ポリマー、ビニルエステルアクリレート架橋ポリマー、Ｃ１０−Ｃ３０アルキルアクリレート架橋ポリマー、疎水性基で共有結合されたアクリル酸のポリマー、アクリロナイトロジェンコポリマー、ステアレス２０メタくリレートコポリマーからなる群から選択される。好ましい濃厚剤は、商品名アクゾール（Ａｃｕｓｏｌ）として既知であるポリマーと同様の特性を有するポリマーを含む。
【０１３１】
他の好ましい濃厚剤は、カラヤゴム、トラガカントゴム、グアーゴム、イナゴマメゴム、アルギン酸塩、カラギーン、キサンタンゴム、あるいはこれらの組み合わせからなる群から選択されるゴムである。好ましくは前記ゴムは、少なくとも１００ｋＤａ、好ましくは少なくとも２００ｋＤａ、より好ましくは少なくとも５００ｋＤａ、さらにより好ましくは少なくとも７５０ｋＤａ、最も好ましくは少なくとも１０００ｋＤａの分子量を有する。
他の好ましい濃厚剤はデンプン類である。前記デンプン類はアミロース及びアミロペクチンの天然あるいは合成修飾ポリマーである。
【０１３２】
他の好ましい濃厚剤は、少なくとも２００ｋＤａ、好ましくは少なくとも３００ｋＤａ、より好ましくは少なくとも５００ｋＤａ、さらにより好ましくは少なくとも７５０ｋＤａ、最も好ましくは少なくとも１０００ｋＤａの平均分子量を有するカルボキシメチルセルロースあるいはこれらの誘導体である。好ましいカルボキシメチルセルロース及びこれらの誘導体は、カルボキシメチルセルロース、ヒドロキシエチルセルロースＨＥＣ、疎水変性ＨＥＣ、ヒドロキシプロピルセルロースＨＰＣ、ヒドロキシプロピルメチルセルロース、ヒドロキシブチルメチルセルロースからなる群から選択される。
他の好ましい濃厚剤は、少なくとも１００ｋＤａ、好ましくは少なくとも２００ｋＤａ、より好ましくは少なくとも５００ｋＤａ、さらにより好ましくは少なくとも７５０ｋＤａ、最も好ましくは少なくとも１０００ｋＤａの平均分子量を有するポリエチレングリコール類である。
好ましい濃厚剤は、スメクタイト粘土、ヘクトライト粘土、ベントナイト粘土あるいはこれらの組み合わせからなる群から選択される。
【０１３３】
発泡系
第一成分は好ましくは発泡系を含む。発泡系は第一成分に含まれる漂白構成成分の分配を改善し、織物におこるまだらになる損傷の危険性を低減する。好ましくは第一成分は非水性液体であり、発泡系を含む。これは小袋が洗浄液中で溶解もしくは分解されるまで、あるいは溶解もしくは分解し始めるまで、発泡が起こるのを防ぐ。
好ましい発泡系は水の存在下でアルカリ供給源と反応してガスを生成できる酸供給源を含む。この反応によって生成されたガスは、窒素、酸素及び二酸化炭素ガスを包含する。酸供給源はいずれの有機もしくは無機酸、あるいはそれらの誘導体、あるいはそれらの混合物であってよい。好ましくは酸供給源は有機酸を含む。好適な酸供給源としては、クエン酸、リンゴ酸、マレイン酸、フマル酸、アスパラギン酸、グルタール酸、酒石酸、コハク酸あるいはアジピン酸、リン酸一ナトリウム、ホウ酸、あるいはそれらの誘導体が挙げられる。クエン酸、マレイン酸あるいはリンゴ酸がとりわけ好ましい。
【０１３４】
本明細書に上記したように、発泡系は好ましくはアルカリ供給源を含み、しかし本発明の目的においてアルカリ供給源は成分の一部であってよくあるいは成分を含む組成物の一部であることができ、あるいは洗浄液に存在することができ、そこへ成分、あるいは成分を含む組成物が加えられる。酸供給源と反応してガスを生成する能力を有するいずれかのアルカリ供給源を本明細書において使用してもよい。好ましいアルカリ供給源類は過ホウ酸塩を包含する過水和物類、及び珪酸塩物質であることができる。
好ましくはガスは二酸化炭素で、及びそれゆえアルカリ供給源は好ましくは炭酸塩供給源であり、当業界で既知である任意の炭酸塩供給源であることができる。好ましい実施例において、炭酸塩供給源は炭酸塩である。好ましい炭酸塩の例はアルカリ土類及びナトリウムあるいはカリウム炭酸塩、重炭酸塩及びセスキ−炭酸塩を包含するアルカリ金属炭酸塩であり、独特許出願第２，３２１，００１号（１９７３年１１月１５日公開）に開示されているような超微細炭酸カルシウムを伴ういずれかのそれらの混合物である。アルカリ金属過炭酸塩は炭酸塩種の好適な供給源でもあり、他の１つ以上の炭酸塩供給源と結合して存在してもよい。
【０１３５】
成分に存在する酸供給源のアルカリ供給源に対するモル比は好ましくは５０：１〜１：５０、より好ましくは２０：１〜１：２０、より好ましくは１０：１〜１：１０、より好ましくは５：１〜１：３、より好ましくは３：１〜１：２、より好ましくは２：１〜１：２である。
【０１３６】
洗浄性界面活性剤
非イオン系アルコキシル化界面活性剤
本質的にいずれかのアルコキシル化非イオン系界面活性剤を本明細書の組成物に含むことができる。これらの非イオン界面活性剤は本発明のアルコキシル化化合物に加える。エトキシ化及びプロポキシル化非イオン系界面活性剤が好ましい。好ましいアルコキシル化界面活性剤はアルキルフェノール類の非イオン系縮合物、非イオンエトキシ化アルコール類、非イオンエトキシ化／プロポキシル化脂肪族アルコール類、プロピレングリコールと非イオンエトキシレート／プロポキシレートの縮合物、及びプロピレンオキシド／エチレンジアミン添加物と非イオンエトキシレートとの縮合生成物の部類から選択することができる。
とりわけ好ましいのは１〜７５モル、特に約５０あるいは１〜１５モル、特に１１モルまでのアルキレンオキシドと脂肪族アルコールの縮合生成物であり、特にエチレンオキシド及び／又はプロピレンオキシドがとりわけ好ましい非イオン系界面活性剤である。脂肪族アルコールのアルキル鎖は直鎖状あるいは分枝状、一級あるいは二級であることができ、一般的には６〜２２個の炭素原子を含有する。特に好ましいのは８〜２０個の炭素原子を含有するアルキル基を有するアルコール類とアルコール１モルについて２〜９モル及び特に３〜５モルのエチレンオキシドの縮合生成物である。
【０１３７】
非イオン系ポリヒドロキシ脂肪酸アミド界面活性剤
ポリヒドロキシ脂肪酸アミド類は本組成物に含まれるとりわけ好ましい非イオン系界面活性剤であり、特に構造式Ｒ２ＣＯＮＲ１Ｚを有するものが好ましく、式中、Ｒ１はＨ、Ｃ１〜１８、好ましくはＣ１〜Ｃ４ヒドロカルビル、２−ヒドロキシエチル、２−ヒドロキシプロピル、エトキシ、プロポキシ、あるいはこれらの混合物であり、好ましくはＣ１〜Ｃ４アルキル、より好ましくはＣ１もしくはＣ２アルキル、最も好ましくはＣ１アルキル（すなわち、メチル）、及びＲ２はＣ５〜Ｃ３１ヒドロカルビル、好ましくは直鎖Ｃ５〜Ｃ１９もしくはＣ７〜Ｃ１９アルキルもしくはアルケニル、より好ましくは直鎖Ｃ９〜Ｃ１７アルキルもしくはアルケニル、最も好ましくは直鎖Ｃ１１〜Ｃ１７アルキルもしくはアルケニル、あるいはこれらの混合物であり及びＺは鎖に直接少なくとも３個のヒドロキシルが結合した直鎖ヒドロカルビルを有するポリヒドロキシヒドロカルビル、あるいはこれらのアルコキシル化（好ましくはエトキシ化もしくはプロポキシル化）誘導体である。Ｚは好ましくは還元型アミノ化反応において還元糖から誘導される。より好ましくはＺはグリシチルである。
【０１３８】
本明細書の使用にとりわけ好ましい非イオン系ポリヒドロキシ脂肪酸アミド界面活性剤は、Ｃ１２〜Ｃ１４、Ｃ１５〜Ｃ１７及び／又はＣ１６〜Ｃ１８アルキルＮ−メチルグルカミドである。
本明細書の組成物は、Ｃ１２〜Ｃ１８アルキルＮ−メチルグルカミド並びに８〜２０個の炭素原子を含有するアルキル基を有するアルコールとアルコール１モルについて２〜９モル及び特に３〜５モルのエチレンオキシドとの縮合生成物の混合物を含むのがとりわけ好ましい。
ポリヒドロキシ脂肪酸アミドはいずれかの好適な工程によって調製できる。特に好ましい１つの工程がＷＯ９２０６９８４に詳細に記載されている。質量の約９５％のポリヒドロキシ脂肪酸アミドを含む、脂肪酸エステル及び環状アミドなどの望ましくない不純物が低濃度であり、典型的には約８０℃より高い温度で溶融される製品をこの工程で生成できる。
【０１３９】
非イオン系脂肪酸アミド界面活性剤
脂肪酸アミド界面活性剤あるいはアルコキシル化脂肪酸アミド類を本明細書の組成物に含むこともできる。それらは以下の式を有するものを包含する。Ｒ６ＣＯＮ（Ｒ７）（Ｒ８）、式中、Ｒ６は７〜２１個、好ましくは９〜１７個の炭素原子あるいはさらに好ましくは１１〜１３個の炭素原子を含有するアルキル基であり、Ｒ７及びＲ８はそれぞれ独立して水素、Ｃ１〜Ｃ４アルキル、Ｃ１〜Ｃ４ヒドロキシアルキル、及び−（Ｃ２Ｈ４Ｏ）ｘＨからなる群から選択され、その際ｘは１〜１１、好ましくは１〜７、より好ましくは１〜５の範囲であり、Ｒ７はＲ８とは異なるものであり、ｘは１あるいは２であるもの、ｘは３〜１１、あるいは好ましくは５であるものが好ましい。
【０１４０】
脂肪酸界面活性剤の非イオン系アルキルエステル類
脂肪酸類のアルキルエステル類を本明細書の組成物に含むこともできる。それらは以下の式を有するものを包含する。Ｒ９ＣＯＯ（Ｒ１０）、式中、Ｒ９は７〜２１個、好ましくは９〜１７個の炭素あるいはいっそう好ましくは１１〜１３個の炭素原子を含有するアルキル基、及びＲ１０はＣ１〜Ｃ４アルキル、Ｃ１〜Ｃ４ヒドロキシアルキル、あるいは−（Ｃ２Ｈ４Ｏ）ｘＨであり、その際ｘは１〜１１、好ましくは１〜７、より好ましくは１〜５の範囲であり、それゆえＲ１０はメチルあるいはエチル基であることが好ましい。
【０１４１】
非イオン系アルキル多糖類界面活性剤
６〜３０個の炭素原子を含有する疎水性基及び多糖類、例えば、１．３〜１０個の糖単位を含有する親水性基を有するポリグリコシドを有する米国特許４，５６５，６４７号（１９８６年１月２１日発行、レナドー）に開示されているようなアルキル多糖類を本明細書の組成物に含むことができる。
好ましいアルキルポリグリコシド類は次式を有する。
Ｒ２Ｏ（ＣｎＨ２ｎＯ）ｔ（グリコシル）ｘ
式中、Ｒ２はアルキル、アルキルフェニル、ヒドロキシアルキル、ヒドロキシアルキルフェニル、及びこれらの混合物からなる群から選択され、その際アルキル基は１０〜１８個の炭素原子を含有し、ｎは２あるいは３であり、ｔは０〜１０であり、ｘは１．３〜８である。グリコシルは好ましくはグルコースから誘導される。
【０１４２】
ポリエチレン／プロピレングリコール類
本明細書の組成物は特に分子量１０００〜１００００、とりわけ２０００〜８０００、及び最も好ましくは約４０００のポリエチレン及び／又はプロピレングリコールを含んでもよい。
【０１４３】
陰イオン系界面活性剤
本明細書の組成物は好ましくは１つ以上の陰イオン系界面活性剤を含む。洗浄の目的に有用ないずれの陰イオン系界面活性剤も好適である。例としては、陰イオン系スルフェート、スルホネート、カルボキシレート及びサルコシン酸界面活性剤の塩（例えば、ナトリウム、カリウム、アンモニウム、並びにモノ−、ジ−及びトリエタノールアミン塩などの置換型アンモニウム塩）が挙げられる。陰イオン系スルフェート界面活性剤が好ましい。
他の陰イオン系界面活性剤としては、アシルイセチオネートなどのイセチオネート類、Ｎ−アシルタウレート類、メチルタウリドの脂肪酸アミド類、アルキルコハク酸塩及びスルホコハク酸塩、スルホコハク酸塩のモノエステル類（とりわけ飽和型及び不飽和型Ｃ１２〜Ｃ１８モノエステル類）スルホコハク酸塩のジエステル類（とりわけ飽和型及び不飽和型Ｃ６〜Ｃ１４ジエステル類）、Ｎ−アシルサルコシン酸塩類が挙げられる。ロジン、水素添加ロジンなどの樹脂酸及び水素添加樹脂酸もまた好適で、樹脂酸及び水素添加樹脂酸は獣脂油に存在あるいは由来する。
【０１４４】
陰イオン系スルフェート界面活性剤
本明細書の使用に好適な陰イオン系スルフェート界面活性剤としては、直鎖状及び分枝状一級及び二級アルキルスルフェート類、アルキルエトキシスルフェート類、脂肪オレオイルグリセロールスルフェート類、アルキルフェノールエチレンオキシドエーテルスルフェート類、Ｃ５〜Ｃ１７アシル−Ｎ−（Ｃ１〜Ｃ４アルキル）及び−Ｎ−（Ｃ１〜Ｃ２ヒドロキシアルキル）グルカミンスルフェート、及びアルキルポリグルコシド（本明細書に記載する非スルフェート化非イオン系化合物）のスルフェートなどのアルキル多糖類のスルフェートが挙げられる。
アルキルスルフェート界面活性剤は、好ましくは直鎖状及び分枝状一級Ｃ９〜Ｃ２２アルキルスルフェート類、より好ましくはＣ１１〜Ｃ１５分枝鎖アルキルスルフェート類及びＣ１２〜Ｃ１４直鎖アルキルスルフェート類から選択される。
アルキルエトキシスルフェート界面活性剤は、好ましくは１分子について０．５〜５０モルのエチレンオキシドでエトキシ化されたＣ１０〜Ｃ１８アルキルスルフェート類からなる群から選択される。より好ましくは、アルキルエトキシスルフェート界面活性剤は１分子について０．５〜７、好ましくは１〜５モルのエチレンオキシドでエトキシ化されたＣ１１〜Ｃ１８、最も好ましくはＣ１１〜Ｃ１５アルキルスルフェートである。
【０１４５】
陰イオン系スルフェート界面活性剤
本明細書の使用に好適な陰イオン系スルフェート界面活性剤としては、Ｃ５〜Ｃ２０直鎖状あるいは分枝状アルキルベンゼンスルホネート類、アルキルエステルスルホネート類、特にメチルエステルスルホネート類、Ｃ６〜Ｃ２２一級あるいは二級アルカンスルホネート類、Ｃ６〜Ｃ２４オレフィンスルホネート類、スルホン化ポリカルボン酸類、アルキルグリセロールスルホネート類、脂肪族アシルグリセロールスルホネート類、脂肪族オレイルグリセロールスルホネート類、及び任意のこれらの混合物の塩が挙げられる。
【０１４６】
陰イオン系カルボキシレート界面活性剤
好適な陰イオン系カルボキシレート界面活性剤としては、アルキルエトキシカルボキシレート類、アルキルポリエトキシポリカルボキシレート界面活性剤及び石鹸（「アルキルカルボキシ類」）、とりわけ本明細書に記載した二級石鹸が挙げられる。
好適なアルキルエトキシカルボキシレート類としては、式ＲＯ（ＣＨ２ＣＨ２Ｏ）ｘＣＨ２ＣＯＯ−Ｍ＋を有するものが挙げられ、式中、ＲはＣ６〜Ｃ１８アルキル基であり、ｘは０〜１０、及びエトキシレート分布は質量ベースでｘが０である物質の量が２０％未満になるものであり、Ｍは陽イオンである。好適なアルキルポリエトキシポリカルボキシレート界面活性剤としては、式ＲＯ−（ＣＨＲ１−ＣＨＲ２−Ｏ）ｘ−Ｒ３を有するものが挙げられ、式中、ＲはＣ６〜Ｃ１８アルキル基、ｘは１〜２５、Ｒ１及びＲ２は水素、メチル酸基、コハク酸基、ヒドロキシコハク酸基、及びそれらの混合物からなる群から選択され、Ｒ３は水素、１〜８個の炭素原子を有する置換型あるいは非置換型炭化水素、及びこれらの混合物からなる群から選択される。
好適な石鹸界面活性剤としては、二級炭素に結合されたカルボキシル単位を含有する二級石鹸界面活性剤が挙げられる。本明細書の使用に好ましい二級石鹸界面活性剤は、２−メチル−１−ウンデカン酸、２−エチル−１−デカン酸、２−プロピル−１−ノナノン酸、２−ブチル−１−オクタン酸及び２−ペンチル−１−へプタン酸の水溶性塩からなる群から選択される水溶性部材である。ある石鹸は泡抑制剤として包含されてもよい。
【０１４７】
アルカリ金属サルコシン酸界面活性剤
他の好適な陰イオン系界面活性剤は、式Ｒ−ＣＯＮ（Ｒ１）ＣＨ２ＣＯＯＭのアルカリ金属サルコシン酸であり、式中、ＲはＣ５〜Ｃ１７直鎖状あるいは分枝状アルキルあるいはアルケニル基であり、Ｒ１はＣ１〜Ｃ４アルカリ基であり、Ｍはアルキル金属イオンである。好ましい例は、ナトリウム塩の形態であるミリスチル及びオレオイルメチルサルコシン酸類である。
【０１４８】
陽イオン系界面活性剤
その他の好ましい界面活性剤は陽イオン系界面活性剤であり、好ましくは本明細書の組成物の０．１質量％〜６０質量％、より好ましくは本明細書の組成物の０．４質量％〜２０質量％、最も好ましくは本明細書の組成物の０．５質量％〜５質量％の濃度で存在してもよい。
存在する時、陰イオン系界面活性剤と陽イオン系界面活性剤の比は、好ましくは３５：１〜１：３、より好ましくは１５：１〜１：１、最も好ましくは１０：１〜１：１である。
好ましくは、陽イオン系界面活性剤は陽イオン系エステル界面活性剤、陽イオン系モノアルコキシル化アミン界面活性剤、陽イオン系ビス−アルコキシル化アミン界面活性剤及びこれらの混合物からなる群から選択される。
【０１４９】
両性界面活性剤
本明細書の使用に好適な両性界面活性剤としては、アミンオキシド界面活性剤及びアルキルアンフォカルボン酸類が挙げられる。
【０１５０】
双極性界面活性剤
双極性界面活性剤は本明細書の組成物に含まれることもできる。これらの界面活性剤は二級及び三級アミン類の誘導体、複素環式二級及び三級アミン類の誘導体、あるいは四級アンモニウム、四級ホスホニウムもしくは三級スルホニウム化合物の誘導体として広く記載されることができる。ベタイン及びスルタイン界面活性剤は本明細書の使用に代表的な双極性界面活性剤である。
【０１５１】
構成剤
水溶性構成剤
本明細書の組成物は水溶性構成剤を含んでもよく、典型的にはの０質量％〜３６質量％、好ましくは１質量％〜３５質量％、より好ましくは１０％〜３５％、さらにより好ましくは組成物あるいは粒子の１２質量％〜３０質量％の濃度で存在する。好ましくは、水溶性構成化合物は前記濃度で存在するホスフェートのアルカリあるいはアルカリ土類金属塩である。
水溶性ホスフェート構成剤の好適な例は、アルカリ金属トリポリホスフェート、ナトリウム、カリウム及びアンモニウムピロホスフェート、ナトリウム及びカリウム及びアンモニウムピロホスフェート、ナトリウム及びカリウムオルトホスフェート、重合度が約６〜２１であるナトリウムポリメタ／ホスフェート、並びにフィチン酸の塩である。
他の典型的な水溶性構成剤としては、水溶性モノマーポリカルボキシレート、あるいはそれらの酸の形態、２個以下の炭素原子、ホウ酸、ホスフェート、及び前述のいずれかの混合物によってそれぞれ分離される少なくとも２つのカルボキシル基を含むホモもしくはコポリマーポリカルボン酸あるいはそれらの塩が挙げられる。
【０１５２】
水不溶性構成剤
本明細書の組成物は好ましくは水不溶性構成剤を含む。水不溶性ビルダーの例としてはアルミノケイ酸ナトリウムが挙げられる。
好適なアルミノケイ酸ゼオライトは、単位式Ｎａｚ［（ＡｌＯ２）ｚ（ＳｉＯ２）ｙ］ｘＨ２Ｏを有し、式中、ｚ及びｙは少なくとも６、ｚとｙのモル比は１．０〜０．５及びｘは少なくとも５、好ましくは７．５〜２７６、より好ましくは１０〜２６４である。アルミノケイ酸塩物質は水和型であり、好ましくは１０％〜２８％、より好ましくは１８％〜２２％の結合形態の水を含有する結晶である。
【０１５３】
泡抑制系
組成物は組成物の１０質量％、好ましくは０．００１質量％〜１０質量％、好ましくは０．０１質量％〜８質量％、最も好ましくは０．０５質量％〜５質量％未満の濃度で泡抑制剤を含んでもよい。好ましくは泡抑制剤は石鹸、パラフィン、ワックス、あるいはこれらの組み合わせのいずれかである。もし泡抑制剤が泡抑制シリコーンであれば、洗剤組成物は好ましくは０．００５質量％〜０．５質量％の泡抑制シリコーンを含む。
本明細書の使用に好適な泡抑制系は、例えば、本質的に、シリコーン発泡防止化合物及び２−アルキルアルカノール発泡防止化合物を包含するいずれかの既知の発泡防止化合物を含んでもよい。
【０１５４】
発泡防止化合物は、本明細書において本明細書の組成物の溶液によって、特に溶液の攪拌の存在下で、発泡あるいは泡を抑制するように作用するいずれかの化合物あるいは化合物の混合物を意味する。
本明細書の使用に特に好ましい発泡防止化合物は、シリコーン成分を包含したいずれかの発泡防止化合物として本明細書で定義されるシリコーン発泡防止化合物である。かかるシリコーン発泡防止化合物も典型的にはシリカ成分を含有する。用語「シリコーン」は本明細書で使用する時、及び一般的に産業界においては、シロキサン単位及び多様な種類のヒドロカルビル基を含有する多様な比較的高分子量のポリマーを包含する。好ましいシリコーン発泡防止化合物はシロキサン、特にトリメチルシリル末端ブロック単位を有するポリジメチルシロキサン類である。好ましくは本明細書の組成物は０．００５質量％〜０．５質量％の泡抑制シリコーンを含む。
【０１５５】
ポリマー染料付着阻害剤
本明細書の組成物は０．０１質量％〜１０質量％、好ましくは０．０５質量％〜０．５質量％のポリマー染料付着阻害剤を含んでもよい。これらのポリマー染料付着阻害剤は水溶性フィルムのポリマー物質に添加する。ポリマー染料付着阻害剤は、好ましくはポリアミンＮ−オキシドポリマー類、Ｎ−ビニルピロリドン及びＮ−ビニルイミダゾールのコポリマー類、ポリビニルピロリドンポリマー類あるいはこれらの組み合わせから選択される。
【０１５６】
陽イオン系織物柔軟剤
陽イオン系織物柔軟剤は好ましくは本明細書の組成物に存在する。好適な陽イオン系織物柔軟剤としては、水不溶性三級アミン類あるいはＧＢ−Ａ−１  ５１４  ２７６及びＥＰ−Ｂ−０  ０１１  ３４０に開示されるようなジ長鎖アミド物質類が挙げられる。好ましくは、これらの水不溶性三級アミン類あるいはジ長鎖アミド物質類は本明細書の組成物の固体成分に含まれる。陽イオン系織物柔化剤は典型的には全体で０．５質量％〜１５質量％、通常１質量％〜５質量％の濃度で混合される。
【０１５７】
他の任意構成成分
本明細書の組成物に包含されるのに好適な他の任意構成成分としては光学的光沢剤、香料、着色剤及び充填剤塩が挙げられ、スルフェートナトリウムが好ましい充填剤塩である。
【０１５８】
（実施例）
実施例
【０１５９】
【表１】
2005507432.tif 000035
【０１６０】
実施例１
本発明に従った二区分小袋中の洗剤組成物について記載する。二区分小袋はクリス−クラフト・インダストリアル・プロダクツ（Ｃｈｒｉｓ−Ｃｒａｆｔ Ｉｎｄｕｓｔｒｉａｌ Ｐｒｏｄｕｃｔｓ）によって供給されるモノゾール（Ｍｏｎｏｓｏｌ）Ｍ８６３０によって製造する。小袋の異なる区分に含有される組成物の第一成分及び第二成分の構成成分について記載する。第一成分は液体マトリックスとしての鉱油を含み、鉱油に懸濁された懸濁粒子の形態でＰＡＰを含む。第二成分は液体である。
【０１６１】
【表２】
2005507432.tif 000036
【０１６２】
【表３】
2005507432.tif 000037
【０１６３】
【表４】
2005507432.tif 000038
【０１６４】
実施例２、３及び４
小袋をアイセロ（Ａｉｃｅｌｌｏ）によって供給されるＰＴフィルム（実施例２）、あるいはアイセロによって供給されるＫ−シリーズフィルム（実施例３）、あるいはクラレ（Ｋｕｒａｒａｙ）によって供給されるＶＦ−ＨＰフィルム（実施例４）によって製造する以外は実施例１に記載した洗剤組成物と同じ。
【０１６５】
実施例５、６及び７
それぞれ０．１％〜２０％ＴＥＡＤ（実施例５）、０．１％〜２０％ＮＯＢＳ（実施例６）、及び０．１％〜２０％ＮＡＣ−ＯＢＳ（実施例７）を第一成分の漂白構成成分としてＰＡＰの替わりに使用し、０％〜１５％の過炭酸塩が第二成分に含まれる以外は、実施例１に記載した洗剤組成物と同じ。
【０１６６】
実施例８、９及び１０
それぞれ非イオン系界面活性剤及びプロパンジオールの混合物（質量比４：１を有する）を第一成分の液体マトリックスとして鉱油の替わりに使用する以外は実施例５、６及び７に記載した洗剤組成物と同じ。
【０１６７】
実施例１１
本発明に従った二区分小袋中のの剤組成物について記載した。二区分小袋はクリス−クラフト・インダストリー・プロダクツ（Ｃｈｒｉｓ−Ｃｒａｆｔ Ｉｎｄｕｓｔｒｉａｌ Ｐｒｏｄｕｃｔｓ）によって供給されるモノゾール（Ｍｏｎｏｓｏｌ）Ｍ８６３０によって製造する。小袋の異なる区分に含有される組成物の第一成分及び第二成分の構成成分について記載する。第一成分は懸濁粒子の形態におけるＰＡＰ、及び液体マトリックスとしての鉱油を含む液体である。第二成分は固体である。
【０１６８】
【表５】
2005507432.tif 000039
【０１６９】
【表６】
2005507432.tif 000040
【０１７０】
【表７】
2005507432.tif 000041
【０１７１】
実施例１２、１３及び１４
それぞれ、０．１％〜２０％ＴＡＥＤ（実施例１２）、０．１％〜２０％ＮＯＢＳ（実施例１３）、及び０．１％〜２０％ＮＡＣ−ＯＢＳ（実施例１４）を第一成分の漂白構成成分としてＰＡＰの替わりに使用し、０％〜１５％の過炭酸塩が第二成分に包含される以外は実施例１１に記載した洗剤組成物と同じ。
【０１７２】
実施例１５、１６及び１７
小袋がアイセロ（Ａｉｃｅｌｌｏ）によって供給されるＰＴフィルム（実施例１５）、あるいはアイセロによって供給されるＫ−シリーズフィルム（実施例１６）、あるいはクラレ（Ｋｕｒａｒａｙ）によって供給されるＶＦ−ＨＰフィルム（実施例１７）によって製造する以外は実施例１１に記載した洗剤組成物と同じ。
【０１７３】
実施例１８
本発明に従った二区分小袋の洗剤組成物について記載する。二区分小袋はクリス−クラフト・インダストリー・プロダクツ（Ｃｈｒｉｓ−Ｃｒａｆｔ Ｉｎｄｕｓｔｒｉａｌ Ｐｒｏｄｕｃｔｓ）によって供給されるモノゾール（Ｍｏｎｏｓｏｌ）Ｍ８６３０によって製造する。小袋の異なる区分に含有される組成物の第一成分及び第二成分の構成成分について記載する。第一成分は懸濁粒子の形態におけるＰＡＰ、及び液体マトリックスとしての鉱油を含む液体である。ゼオライトＡは懸濁粒子の形態である。第二成分は液体である。
【０１７４】
【表８】
2005507432.tif 000042
【０１７５】
【表９】
2005507432.tif 000043
【０１７６】
【表１０】
2005507432.tif 000044
【０１７７】
実施例１９、２０及び２１
それぞれ、０．１％〜２０％ＴＡＥＤ（実施例１９）、０．１％〜２０％ＮＯＢＳ（実施例２０）、及び０．１％〜２０％ＮＡＣ−ＯＢＳ（実施例２１）を第一成分の漂白構成成分としてＰＡＰの替わりに使用し、０％〜１５％の過炭酸塩が第二成分に包含される以外は実施例１８に記載した洗剤組成物と同じ。
【０１７８】
実施例２２、２３及び２４
小袋をアイセロ（Ａｉｃｅｌｌｏ）によって供給されるＰＴフィルム（実施例２２）、あるいはアイセロによって供給されるＫ−シリーズフィルム（実施例２３）、あるいはクラレ（Ｋｕｒａｒａｙ）によって供給されるＶＦ−ＨＰフィルム（実施例２４）によって製造する以外は実施例１８に記載した洗剤組成物と同じ。
【０１７９】
実施例２５、２６及び２７
それぞれ過炭酸塩が第一成分に含まれる以外は実施例５、６及び７に記載した洗剤組成物と同じ。
【０１８０】
実施例２８、２９及び３０
それぞれ過炭酸塩が第一成分に含まれる以外は実施例１２、１３及び１４に記載した洗剤組成物と同じ。
【０１８１】
実施例３１、３２及び３３
それぞれ過炭酸塩が第一成分に含まれる以外は実施例２２、２３及び２４に記載した洗剤組成物と同じ。
【０１８２】
実施例３４、３５及び３６
それぞれ非イオン系界面活性剤及びプロパンジオールの混合物（質量比４：１を有する）を第一成分の液体マトリックスとして鉱油の替わりに使用する以外は実施例１２、１３及び１４に記載した洗剤組成物と同じ。
【０１８３】
実施例３７、３８及び３９
それぞれ非イオン系界面活性剤及びプロパンジオールの混合物（質量比４：１を有する）を第一成分の液体マトリックスとして鉱油の替わりに使用する以外は実施例２２、２３及び２４に記載した洗剤組成物と同じ。
【０１８４】
実施例４０
ＴＰＣＡＰが第一成分にＰＡＰの替わりに含まれる以外は実施例に記載した洗剤組成物と同じ。
【０１８５】
実施例４１
第一成分が鉱油の替わりに１０％〜３０％の水を含み、第一成分がまた（全組成物の質量の）１％〜１０％のスルフェートマグネシウム及び１％〜５％のコハク酸を含む以外は実施例１に記載した洗剤と同じ。
【０１８６】
実施例４２
１度の洗浄を行う洗濯物物品を自動洗濯機において自動洗濯機のドラムあるいは自動洗濯機のディスペンサーのいずれかに加えた２０ｇ〜５０ｇの質量の１〜３個の小袋を使用して洗浄する。小袋は実施例１〜４１のいずれかに記載した洗剤組成物を含有する。
【国際公開パンフレット】
2005507432.tif 000045
2005507432.tif 000046
2005507432.tif 000047
2005507432.tif 000048
2005507432.tif 000049
2005507432.tif 000050
2005507432.tif 000051
2005507432.tif 000052
2005507432.tif 000053
2005507432.tif 000054
2005507432.tif 000055
2005507432.tif 000056
2005507432.tif 000057
2005507432.tif 000058
2005507432.tif 000059
2005507432.tif 000060
2005507432.tif 000061
2005507432.tif 000062
2005507432.tif 000063
2005507432.tif 000064
2005507432.tif 000065
2005507432.tif 000066
2005507432.tif 000067
2005507432.tif 000068
2005507432.tif 000069
2005507432.tif 000070
2005507432.tif 000071
2005507432.tif 000072
2005507432.tif 000073
2005507432.tif 000074
2005507432.tif 000075
2005507432.tif 000076
2005507432.tif 000077
2005507432.tif 000078
2005507432.tif 000079
2005507432.tif 000080
2005507432.tif 000081
2005507432.tif 000082
2005507432.tif 000083
2005507432.tif 000084
2005507432.tif 000085
2005507432.tif 000086
2005507432.tif 000087
2005507432.tif 000088
2005507432.tif 000089
2005507432.tif 000090
2005507432.tif 000091
2005507432.tif 000092
2005507432.tif 000093
2005507432.tif 000094
2005507432.tif 000095
2005507432.tif 000096
2005507432.tif 000097
2005507432.tif 000098
2005507432.tif 000099
2005507432.tif 000100
2005507432.tif 000101
2005507432.tif 000102
2005507432.tif 000103
【国際公開パンフレット（コレクトバージョン）】
2005507432.tif 000104
【国際調査報告】
2005507432.tif 000105
2005507432.tif 000106
2005507432.tif 000107
2005507432.tif 000108